(57)【要約】  本開示は、使用中に着用者に面する内表面と使用中に着用者から逸れた方を向く外表面とを有する吸収性物品のためのウエストベルト（１５）に関する。ベルトは、留め構成要素を備える第１のベルト端区画（１６）と、嵌合用留め構成要素を備える第２のベルト端区画（１７）とを備える。留め構成要素（１１ａ）および嵌合用留め構成要素（１３ａ）の各１つは、第１の機械的コネクタ構造（５１）と、第２の機械的コネクタ構造（５２）とを備える。前記他の機械的コネクタ構造との機械的相互接続を形成することが可能であり、同一の構造との機械的相互接続を形成することが不可能である各機械的コネクタ構造。さらに、前記留め構成要素および前記嵌合用留め構成要素は、前記第１の横断方向ベルト端区画と前記第２の横断方向ベルト端区画との相互接続を形成し、吸収性物品の着用者のまわりで互いに固着するように、前記第１の機械的コネクタ構造（５１）および前記第２の機械的コネクタ構造（５２）を介して機械的に接続可能である。本開示はまた、シャーシ（１２）とウエストベルト（１５）とを備える使い捨て物品に関する。
2018527114.tif 000002
【特許請求の範囲】
【請求項１】
使用中に着用者に面する内表面と使用中に前記着用者から逸れた方を向く外表面とを有する吸収性物品のためのウエストベルト（１５）であって、留め構成要素を備える第１のベルト端区画（１６）と嵌合用留め構成要素を備える第２のベルト端区画（１７）とを備え、前記留め構成要素（１１ａ）および前記嵌合用留め構成要素（１３ａ）の各１つが第１の機械的コネクタ構造（５１）と第２の機械的コネクタ構造（５２）とを備え、各機械的コネクタ構造が、前記他の機械的コネクタ構造との機械的相互接続を形成することが可能であり、同一の構造との機械的相互接続を形成することが不可能であり、前記留め構成要素および前記嵌合用留め構成要素が、前記第１の横断方向ベルト端区画と前記第２の横断方向ベルト端区画との相互接続を形成し、前記吸収性物品の着用者のまわりで互いに固着するように、前記第１の機械的コネクタ構造（５１）および前記第２の機械的コネクタ構造（５２）を介して機械的に接続可能である、ウエストベルト（１５）。
【請求項２】
前記留め構成要素が前記第１のベルト端区画の前記内表面上に配置され、前記嵌合用留め構成要素が前記第２のベルト端区画の前記外表面上に配置される、請求項１に記載のウエストベルト（１５）。
【請求項３】
前記留め構成要素の前記第１の機械的コネクタ構造（５１）および前記第２の機械的コネクタ構造（５２）が第１のパターンで配置され、前記嵌合用留め構成要素の前記第１の機械的コネクタ構造（５１ａ）および前記第２の機械的コネクタ構造（５２ａ）が第２のパターンで配置され、前記第１のパターンおよび前記第２のパターンが、留め構成要素の前記第１の機械的コネクタ構造（５１）の前記の少なくとも一部分が前記嵌合用留め構成要素の前記第２の機械的コネクタ構造（５２ａ）の少なくとも一部分を鏡写しにし、前記留め構成要素の前記第２の機械的コネクタ構造（５２）の少なくとも一部分が前記嵌合用留め構成要素の前記第１の機械的コネクタ構造（５１ａ）の少なくとも一部分を鏡写しにするように形成される、請求項１または請求項２に記載のウエストベルト（１５）。
【請求項４】
前記第１のパターン全体が前記第２のパターン全体の鏡像である、請求項３に記載のウエストベルト（１５）。
【請求項５】
方向ｘおよび方向ｙに見て、前記第１のベルト端区画上での前記留め構成要素の大きさおよび向きが、前記方向ｘおよび前記方向ｙに見て、前記第２のベルト端区画上での前記嵌合用留め構成要素の大きさおよび向きに対応する、請求項１から４のいずれか一項に記載のウエストベルト（１５）。
【請求項６】
前記第２のベルト端区画が、前記第２のベルト端区画の前記外表面上に離間して配置された複数の嵌合用留め構成要素を備え、各嵌合用留め構成要素が、前記留め構成要素および前記複数の前記嵌合用留め構成要素のいずれか１つが、前記第１のベルト端区画と前記第２のベルト端区画との相互接続を形成し、前記吸収性物品の着用者のまわりで互いに固着するように、第１の機械的コネクタ構造（５１）および第２の機械的コネクタ構造（５２）を介して機械的に接続可能であるように、前記第１の機械的コネクタ構造（５１）と前記第２の機械的コネクタ構造（５２）とを備える、請求項１から５のいずれか一項に記載のウエストベルト（１５）。
【請求項７】
前記第１の機械的コネクタ構造および前記第２の機械的コネクタ構造（５１、５２）のうちの一方がフックを備え、前記第１のコネクタ構造および前記第２のコネクタ構造（５１、５２）のうちの他方がループを備える、請求項１から６のいずれか一項に記載のウエストベルト（１５）。
【請求項８】
前記第１の機械的コネクタ構造および前記第２の機械的コネクタ構造（５１、５２）のうちの一方が第１のタイプのフックを備え、前記第１の機械的コネクタ構造および前記第２の機械的コネクタ構造（５１、５２）のうちの他方が第２のタイプのフックを備え、前記第１のタイプのフックが、前記第２のタイプのフックと異なるフック特性を有する、請求項１から７のいずれか一項に記載のウエストベルト（１５）。
【請求項９】
前記第１の機械的コネクタ構造（５１）が第１のコネクタ材料（５１’）によって提供され、前記第２の機械的コネクタ構造（５２）が第２のコネクタ材料（５２’）によって提供される、請求項１から８のいずれか一項に記載のウエストベルト（１５）。
【請求項１０】
前記第２のコネクタ材料（５２’）が、前記第１のコネクタ材料（５１’）に、好ましくは前記第１のコネクタ材料（５１’）上に、取り付けられる、請求項９に記載のウエストベルト（１５）。
【請求項１１】
前記留め構成要素および前記嵌合用留め構成要素のうちのいずれか１つが、その上に断続的な前記第２のコネクタ材料片（５２’）が取り付けられる前記第１のコネクタ材料（５１’）を備える、請求項９に記載のウエストベルト（１５）。
【請求項１２】
前記第１のコネクタ材料（５１’）の前記第１のコネクタ構造（５１）が前記第２のコネクタ材料（５２’）内の貫通穴を介してアクセス可能であるように、前記留め構成要素および前記嵌合用留め構成要素のうちのいずれか１つが、前記貫通穴が形成された第２のコネクタ材料（５２’）がその上に取り付けられた第１のコネクタ材料（５１’）を備える、請求項９に記載のウエストベルト（１５）。
【請求項１３】
前記留め構成要素および前記嵌合用留め構成要素のうちのいずれか１つが、その上に前記第１のコネクタ材料および／または前記第２のコネクタ材料（５１’、５２’）が取り付けられるキャリア材料（５３）を備える、請求項９から１２のいずれか一項に記載のウエストベルト（１５）。
【請求項１４】
前記留め構成要素および前記嵌合用留め構成要素のうちのいずれか１つが、それから前記コネクタ構造５１、５２が延在するバッキング５５を備える単一コネクタ材料である、請求項１から１３のいずれか一項に記載のウエストベルト（１５）。
【請求項１５】
前記留め構成要素および前記嵌合用留め構成要素の各１つが長さを有し、長手方向中心軸（ｘ）が前記長さに沿って画定され、前記第１のコネクタ構造および前記第２のコネクタ構造（５１、５２）によって形成された前記パターンが、前記長手方向中心軸（Ｘ）の一方の側にある前記第１の構造（５１）の少なくとも一部分が、前記長手方向中心軸（Ｘ）の前記他方の側にある前記第２の構造（５２）の一部分を鏡写しにする、好ましくは、前記長手方向中心軸（Ｘ）の一方の側にある前記第１の構造（５１）のすべての部分が、前記長手方向中心軸（Ｘ）の前記他方の側にある前記第２の構造（５２）の一部分を鏡写しにするようなものである、請求項１から１４のいずれか一項に記載のウエストベルト（１５）。
【請求項１６】
横断方向中心軸（ｙ）が各留め構成要素および嵌合用留め構成要素の前記幅に沿って画定され、前記第１のコネクタ構造および前記第２のコネクタ構造（５１、５２）によって形成される前記パターンが、前記横断方向中心軸（Ｙ）の一方の側にある前記第１の構造（５１）の少なくとも一部分が、前記横断方向中心軸（Ｙ）の前記他方の側にある前記第２の構造（５２）の一部分を鏡写しにする、好ましくは、前記横断方向中心軸（Ｙ）の一方の側にある前記第１の構造（５１）のすべての部分が、前記横断方向中心軸（Ｙ）の前記他方の側にある前記第２の構造（５２）の一部分を鏡写しにするようなものである、請求項１５に記載のウエストベルト（１５）。
【請求項１７】
前記長手方向中心軸（Ｘ）の一方の側および前記横断方向中心軸（Ｙ）の一方の側に置かれた前記第１の機械的コネクタ構造（５１）の前記少なくとも１つの部分が、前記長手方向中心軸（Ｘ）の前記他方の側にある前記第２の機械的コネクタ構造（５２）の一部分および前記横断方向中心軸（Ｙ）の前記他方の側にある前記第２の機械的コネクタ構造（５２）の別の部分を鏡写しにする、請求項１５または１６に記載のウエストベルト（１５）。
【請求項１８】
前記第１の機械的コネクタ構造および前記第２の機械的コネクタ構造（５１、５２）の中の１つのみが前記長手方向中心軸（Ｘ）の一方の側に置かれる、請求項１７に記載のウエストベルト（１５）。
【請求項１９】
前記第１のベルト端区画および前記第２のベルト端区画のいずれか１つが、伸縮性をもたせた領域を備える、請求項１から１８のいずれか一項に記載のウエストベルト（１５）。
【請求項２０】
前記ウエストベルトが、吸収性物品のための拡張ベルト製品（１５’）である、請求項１から１９のいずれか一項に記載のウエストベルト（１５）。
【請求項２１】
中間ベルト区画が、吸収性物品とともに使用することが意図されたウエストベルトを形成するために、前記第１のベルト端区画と前記第２のベルト端区画との間に配置される、請求項１から２０のいずれか一項に記載のウエストベルト（１５）。
【請求項２２】
シャーシ（１２）と、請求項１から１９のいずれか一項に記載のウエストベルト（１５）とを備える使い捨て物品（８、１０）であって、前記シャーシが、第１の端部分と第２の端部分（１８、１４）と、それらの間に延在する中央部分（１２ａ）とを有し、使用に際して前記使用者に向かって面することが意図された第１の表面（２１）と前記使用者から逸れた方を向くことが意図された第２の表面（２２）とを有する第１のカバーリング層（２０）を含み、前記ウエストベルトが、前記物品の着用者のまわりで互いに固着するために、前記第１のベルト端区画および第２のベルト端区画が前記シャーシの前記第１の端部分の両側に延在するように前記シャーシに取り付けられ、前記シャーシの前記第２の端部分が、前記シャーシの前記第２の端部分を前記ベルトに固着するための留めデバイス（４８、４９）を含む、使い捨て物品（８、１０）。
【請求項２３】
シャーシと、請求項１から１９または請求項２１のいずれか一項に記載のウエストベルトとを備える使い捨て物品（８、１０）であって、前記ウエストベルトが前記シャーシとは別個に設けられる、使い捨て物品（８、１０）。
【発明の詳細な説明】
【技術分野】
【０００１】
本開示は、吸収性物品のためのウエストベルトに関する。より詳細には、本開示は、吸収性物品のためのウエストベルトに関し、前記ベルトは、留め構成要素を備える第１のベルト端区画と、嵌合用留め構成要素を備える第２のベルト端区画とを備える。さらに、本開示は、シャーシと、統合されたウエストベルトとを備える吸収性物品に関する。そのうえ、本開示は、シャーシとウエストベルトとを備える吸収性物品に関し、前記ウエストベルトは、前記シャーシとは別個に設けられる。ベルト付き吸収性物品は、さまざまな大きさにおいて提供されてよい。
【背景技術】
【０００２】
使い捨ておむつの形をした吸収性物品が一般に知られている。おむつは、おむつの１つの端領域の両側に固着された留め用つまみのペアを含む留めシステムを備える。留め用つまみは、おむつの他の端領域に置かれた受け取り手段と係合することが意図されている。そのようなおむつは、一般に、着用者が横たわるとき、着用者の上に置かれる。上記で説明された留め配置は、おむつを幼児または乳児につけるときは満足のいくものであるが、失禁用おむつを成人の着用者に合わせようとするとき、問題が生じることがある。これは、おむつを自分につけることを望む着用者に、または着用者が立位にあるときにおむつをつけることからかなりの恩恵を受ける介護者に特に当てはまる。この問題に取り組むために、着用者または介護者が立位でおむつをつけることを可能にするベルト付き吸収性物品が開発されてきた。そのようなベルト付き吸収性物品の一例が、参照により本明細書に組み込まれる特許文献１に記載されている。一般的には、吸収性物品は、シャーシまたは吸収性物品と一体的に取り付けられるベルトを有する。ベルトは、シャーシまたは吸収性区画の背面端の両側に延在する２つのベルト部分を有することがある。この２つのベルト部分は、吸収性区画の前面端が着用者の脚の間に垂れ下がっている間に、着用者のウエストのまわりに留められることが意図されている。ベルト部分が互いに接合されると、着用者は、自分の脚の間に手を伸ばして、脚の間の吸収性区画を引き上げ、吸収性区画の自由端をベルト部分に取り付けることができる。同様に、物品は、ベルトが製品の前面部分に留められ、着用者の背部のまわりに固着されるように作製可能である。この場合、吸収区画は、前面に垂れ下がっており、背部においてベルトに固着される。このタイプの製品は、認知症などにかかり得る患者を介護する介護者に特に有用である。このタイプの構成は、物品を自分につけることを望む着用者にとって理想的でないことに留意されたい。
【０００３】
他の吸収性物品では、ベルトは、シャーシに着脱可能に取り付けられた別個の部品を形成してよい。
【０００４】
一般的には、ベルトは、フック要素と協働するように設計された特殊な受け取り表面を備える。フック要素と協働可能な材料からベルト全体が製造されることも一般的であるが、特殊な受け取り表面はベルト上に配置されない。
【先行技術文献】
【特許文献】
【０００５】
【特許文献１】米国特許第６３４２０５０号明細書
【発明の概要】
【発明が解決しようとする課題】
【０００６】
本開示の目的は、ウエストベルトが単純で効果的な様式で吸収性物品の着用者のまわりに固着可能であるように、２つのベルト端区画の互いに対する留め能力を改善することである。この目的は、請求項１の特徴によって少なくとも部分的に達成される。
【課題を解決するための手段】
【０００７】
本開示は、使用中に着用者に面する内表面と使用中に着用者から逸れた方を向く外表面とを有する吸収性物品のためのウエストベルトに関する。ベルトは、留め構成要素を備える第１のベルト端区画と、嵌合用留め構成要素を備える第２のベルト端区画とを備える。留め構成要素および嵌合用留め構成要素の各１つは第１の機械的コネクタ構造と第２の機械的コネクタ構造とを備える。さらに、各機械的コネクタ構造は、前記他の機械的コネクタ構造との機械的相互接続を形成することが可能であり、同一の構造との機械的相互接続を形成することが不可能であり、前記留め構成要素および前記嵌合用留め構成要素は、前記第１のベルト端区画と前記第２のベルト端区画との相互接続を形成し、吸収性物品の着用者のまわりで互いに固着するように、前記第１の機械的コネクタ構造および前記第２の機械的コネクタ構造を介して機械的に接続可能である。
【０００８】
このようにして、第１のベルト端区画の留め構成要素と第２のベルト端区画の嵌合用留め構成要素との間のより安心な接続が提供される。さらに、各留め構成要素および嵌合用留め構成要素が第１の機械的コネクタ構造と第２の機械的コネクタ構造とを備えるという提供によって、上記で説明されたように、構成要素間のハイレベルの接触を提供することが可能になる。そのうえ、各留め構成要素上に２つのタイプの機械的コネクタ構造を有するによって提供される機械的な相互接続は、使用中に着用者のまわりで吸収性物品の不十分な留めを有することのリスクを最小にすることに寄与する。不十分な留めは、物品の不十分なフィットおよび漏出のリスクの増加という結果になることが多いので、本開示の例示的な実施形態は、物品の使用中の漏出のリスクを減少させながら、物品の全体的なフィットに対する肯定的な影響も有することがある。
【０００９】
留め構成要素および嵌合用留め構成要素が第１の機械的コネクタ構造と第２の機械的コネクタ構造の両方を備えることにより、接続の接続エリア／点の数およびタイプが、別のベルト端区画のループ材料に取り付けられるように構成されたフック材料を備えるベルト端区画に鑑みて増加されるので、留め接続の剥離強度および剪断強度は改善される。接続エリア／点の数の増加は、使用中のウエストベルトの調整の柔軟性の増加にも寄与する。
【００１０】
このために、接続エリア／点の数の増加は、接続点をさまざまな大きさの標識として使用する選択肢を提供し、使用者が、快適で安心なベルト付き構成を得るために、どこでベルト端区画のうちの一方を他方のベルト端区画に係合するかを容易に理解することを可能にする。いくつかの例示的な実施形態では、接続点またはいくつかの機械的コネクタ構造は、留め構成要素および／または嵌合用留め構成要素をさまざまな大きさの標識として使用する機能をさらに改善するために着色されてよい。
【００１１】
さらに、本開示の例示的な実施形態は、相互接続が構成要素の第１の機械的コネクタ構造と第２の機械的コネクタ構造との間に作成され、したがって、たとえばあるベルト端区画上のフック材料と他のベルト端区画の表面との間には作成されないので、ウエストベルトのベルト端区画の材料のタイプに関して必要とされる考慮事項が少なくなるという利点を提供する。後者は、フック材料のための受け取り表面として働くベルト端区画の材料が留め性質などに関して慎重に選択されることを必要とすることが多い。したがって、留め構成要素および嵌合用留め構成要素の構成は、ベルト端区画の材料の設計の自由を増加させ得る。
【００１２】
同じ理由のために、留め構成要素および嵌合用留め構成要素の構成は、機械的相互接続を構成する材料がベルト端区画の材料のタイプとはほぼ無関係に選択可能であり、したがって、たとえば、コネクタ構造がフック材料である場合に、他のベルト端区画にある不織材料と直接的に係合するために１つのベルト端区画にあるフック材料を有するウエストベルトと比較して、たとえば、ウエストベルトの使用中の機械的コネクタ構造上のけばの量を減少させる、留め構成要素および嵌合用留め構成要素のより最適な材料が選択され得ることをもたらす。
【００１３】
したがって、高レベルの着用者の快適さを維持しながら、現在の従来技術によるベルト付き物品よりも曲げやすく、より柔軟で、剛性がより小さい、ウエストベルトおよびベルト付き物品が提供される。
【００１４】
本開示の目的はまた、吸収性物品の特徴によって少なくとも部分的に達成され、この吸収性物品は、シャーシと、上記でウエストベルトに関して言及された特徴、例、または変形態のいずれか１つに記載のウエストベルトとを備える。シャーシは、第１の端部分と、第２の端部分と、それらの間に延在する中央部分とを有し、使用に際して使用者に面することが意図された第１の表面と使用者から逸れた方を向くことが意図された第２の表面とを有する第１のカバーリング層をさらに含む。さらに、ウエストベルトは、物品の着用者のまわりで互いに固着するためにシャーシの第１の端部分の両側に前記第１のベルト端区画および前記第２のベルト端区画が延在するように、シャーシに取り付けられ、シャーシの前記第２の端部分は、シャーシの第２の端部分をベルトに固着するための留めデバイスを含む。
【００１５】
本開示の目的はまた、吸収性物品の特徴によって少なくとも部分的に達成され、この吸収性物品は、シャーシと、上記でウエストベルトに関して言及された特徴、例、または変形態のいずれか１つに記載のウエストベルトとを備え、前記ウエストベルトは、前記シャーシとは別個に設けられる。
【００１６】
本開示の目的はまた、上記でウエストベルトに関して言及された特徴、例、または変形態のいずれか１つを含む拡張ベルトの特徴によって少なくとも部分的に達成される。
【００１７】
さらなる利点は、従属請求項の特徴のうちの１つまたはいくつかを実施することによって達成される。
【００１８】
例示的な実施形態では、したがって、留め構成要素は、一般的には、第１の機械的コネクタ構造と第２の機械的コネクタ構造とを備え、第１の機械的コネクタ構造および第２の機械的コネクタ構造は２つの対応する構造であり、各構造は、他の構造との機械的相互接続を形成することが可能であり、同一の構造との機械的相互接続を形成することが不可能であり、留め構成要素は嵌合用留め構成要素に機械的に接続可能であり、この嵌合用留め構成要素は、第１の機械的コネクタ構造と第２の機械的コネクタ構造とを備える。
【００１９】
本明細書で使用される「留め構成要素」および「嵌合用留め構成要素」という用語は、一般に、潜在的には（別の留め構成要素または嵌合用留め構成要素と接触する場合）第１の機械的コネクタ構造および第２の機械的コネクタ構造によって他のベルト端区画へのベルト端区画の相互接続を実行し得る、材料の一部分である。
【００２０】
機械的コネクタ構造は、本明細書において、一般的には物品が使用可能であるときに連続する閉ざされたウエストベルトを形成するために必要とされるように、ベルト端区画の１つを別のベルト端区画に機械的に相互接続するためのコネクタ構造を指す。
【００２１】
機械的コネクタ構造は、ベルト区画材料自体などの他の材料への望ましくない接続を作成しがちでないが、それら自体の間の安心な接続を提供するという利点を有する。したがって、機械的コネクタ構造の使用は、今まで従来技術による物品によって提供されていない、物品の使用中のウエストベルト端区画の改善された、信頼性の高い接続を提供する。
【００２２】
機械的コネクタ構造は、多くの場合、接続が２つの異なる、対応する相互接続可能なコネクタ構造のペアによって達成されるタイプであり得る。第１のコネクタ構造は、したがって、第２のコネクタ構造との機械的相互接続を形成することが可能であるが、別の第１のコネクタ構造（すなわち、同一の構造）との機械的相互接続を形成することは可能でない。同様に、第２のコネクタ構造は、第１のコネクタ構造との機械的相互接続を形成することが可能であるが、別の第２のコネクタ構造（すなわち、同一の構造）との機械的相互接続を形成することは可能でない。そのようなコネクタ構造の典型的な例は、フック構造および対応するループ構造である。
【００２３】
一般的には、厳密には必要とされないが、第１のコネクタ構造および第２のコネクタ構造が、あるパターンで配置されること。第１の機械的コネクタ構造および第２の機械的コネクタ構造が留め構成要素の第１の側に配置されることが理解されよう。第１のコネクタ構造および第２のコネクタ構造のうちの一方はフックを備えてよく、第１のコネクタ構造および第２のコネクタ構造のうちの他方はループを備えてよい。
【００２４】
あるいは、第１のコネクタ構造および第２のコネクタ構造のうちの一方は第１のタイプのフックを備えてよく、第１のコネクタ構造および第２のコネクタ構造のうちの他方は第２のタイプのフックを備えてよく、第１のタイプのフックは、前記第２のタイプのフックと異なるフック特性を有する。
【００２５】
第１のコネクタ構造は第１のコネクタ材料によって提供されてよく、第２のコネクタ構造は第２のコネクタ材料によって提供されてよい。
【００２６】
例示的な実施形態によれば、第２のコネクタ材料は、第１のコネクタ材料に、好ましくは第１のコネクタ材料上に、取り付けられてよい。
【００２７】
例示的な実施形態によれば、留め構成要素および嵌合用留め構成要素は、その上に断続的な第２のコネクタ材料片が取り付けられる第１のコネクタ材料を備える。第１のコネクタ材料の第１のコネクタ構造が第２のコネクタ材料内の貫通穴を介してアクセス可能であるように、留め構成要素および嵌合用留め構成要素は、貫通穴が形成された第２のコネクタ材料がその上に取り付けられた第１のコネクタ材料を備えてよい。
【００２８】
留め構成要素および嵌合用留め構成要素は、その上に第１のコネクタ材料および／または第２のコネクタ材料が取り付けられるキャリア材料を備えてよい。
【００２９】
留め構成要素および嵌合用留め構成要素は、それからコネクタ構造が延在するバッキングを備える単一コネクタ材料であってよい。
【００３０】
留め構成要素および嵌合用留め構成要素は、個々のコネクタを形成するために、繰り返されるパターンを示してよい。
【００３１】
留め構成要素および嵌合用留め構成要素は各々、長さと幅とを有する繰り返されるパターンを示し、好ましくは、この長さは、パターンの繰り返しが均一に分割可能である長さである。
【００３２】
本明細書において、ベルト端区画の留め構成要素および嵌合用留め構成要素の各１つが第１の機械的コネクタ構造および第２の機械的コネクタ構造を備えることが可能であることが提案される。上記によれば、留め構成要素および嵌合用留め構成要素のうちの各１つが第１のコネクタ構造と第２のコネクタ構造の両方を備えるので、ウエストベルトの改善された閉ざされた構成を可能にするウエストベルトおよびベルト付き物品が提供される。
【００３３】
相互接続を提供するために、一般に、留め構成要素の第１の機械的コネクタ構造および／または第２の機械的コネクタ構造によって形成される表面エリア全体が、嵌合用留め構成要素の第２の機械的コネクタ構造および／または第１の機械的コネクタ構造に相互接続されることは要求されていない。機械的留め構成要素を用いて、機械的コネクタ構造の比較的小さい相互接続されたエリアとの十分な接続強度がすでに達成され得る。したがって、相互接続を提供するために、留め構成要素が、留め構成要素の第１のコネクタ構造の一部分と嵌合用留め構成要素の対応する第２の構造の一部分との間の、またはその逆の相互接続を可能にするように設計されることが十分であり得る。
【００３４】
一般的には、前記留め構成要素の前記第１の機械的コネクタ構造および前記第２の機械的コネクタ構造は第１のパターンで配置され、前記嵌合用留め構成要素の第１の機械的コネクタ構造および第２の機械的コネクタ構造は第２のパターンで配置される。前記第１のパターンおよび前記第２のパターンは、前記留め構成要素の第１の機械的コネクタ構造の少なくとも一部分が前記嵌合用留め構成要素の第２の機械的コネクタ構造の少なくとも一部分を鏡写しにし、前記留め構成要素の第２の機械的コネクタ構造の少なくとも一部分が前記嵌合用留め構成要素の第１の機械的コネクタ構造の少なくとも一部分を鏡写しにするように形成される。「パターン」という用語は、ここでは、上記において説明されたランダム配置とは対照的に、第１の機械的コネクタ構造を備える少なくとも１つのエリアと第２の機械的コネクタ構造を備える少なくとも１つのエリアの秩序立てられた配置を指す。さらに、「鏡写しにする（ｍｉｒｒｏｒ）」、「鏡写し（ｍｉｒｒｏｒｉｎｇ）」、または「鏡像」という用語は、前記留め構成要素と前記嵌合用留め構成要素が、閉ざされたウエストベルト構成を形成するように接合されるとき、第１のパターンにおける２つの機械的コネクタ構造および第２のパターンにおける２つの機械的コネクタ構造の相対的配置を指す。すなわち、上記の提供は、一般的には、ベルト付き物品がパンツ型構成に形成されたときの部分の鏡写しを指す。
【００３５】
例示的な一実施形態によれば、前記留め構成要素の前記第１の機械的コネクタ構造および前記第２の機械的コネクタ構造は第１のパターンで配置され、前記嵌合用留め構成要素の第１の機械的コネクタ構造および第２の機械的コネクタ構造は第２のパターンで配置され、前記第１のパターンは前記第２のパターンの鏡像である。上記で言及されたように、さらに、「鏡像」という用語は、前記留め構成要素と前記嵌合用留め構成要素が、閉ざされたウエストベルト構成を形成するように接合されるとき、第１のパターンにおける２つの機械的コネクタ構造および第２のパターンにおける２つの機械的コネクタ構造の相対的配置を指す。一般的には、第１のパターン全体は第２のパターン全体の鏡像である。言い換えれば、前記留め構成要素の第１の機械的コネクタ構造および第２の機械的コネクタ構造の配置は、前記嵌合用留め構成要素の第１の機械的コネクタ構造および第２の機械的コネクタ構造の配置の鏡像である。
【００３６】
このようにして、留め構成要素の第１の機械的コネクタ構造および第２の機械的コネクタ構造ならびに嵌合用留め構成要素の第１の機械的コネクタ構造および第２の機械的コネクタ構造は、２つの異なるコネクタ構造のエリア全体にわたって相互接続し、それによって、ベルト端区画間の相互接続を最大まで増加させることが可能である。
【００３７】
一般的には、厳密には必要ではないが、方向ｘおよび方向ｙに見て、第１のベルト端区画にある留め構成要素の拡張および向きは、方向ｘおよび方向ｙに見て、第２のベルト端区画にある嵌合用留め構成要素の拡張および向きに対応する。
【００３８】
例示的な一実施形態によれば、前記第２のベルト端区画は、前記第２のベルト端区画の外表面上に離間して配置された複数の嵌合用留め構成要素を備え、各嵌合用留め構成要素は、前記留め構成要素および複数の前記嵌合用留め構成要素のいずれか１つが、前記第１のベルト端区画と前記第２のベルト端区画との相互接続を形成し、吸収性物品の着用者のまわりで互いに固着するように、前記第１の機械的コネクタ構造および前記第２の機械的コネクタ構造を介して機械的に接続可能であるように、第１の機械的コネクタ構造と第２の機械的コネクタ構造とを備える。
【００３９】
これによって、ウエストベルトは、物品の使用者にとっての調整および柔軟性のレベルの上昇を備える。
【００４０】
いくつかの変形態では、留め構成要素および嵌合用留め構成要素は異なってよい。いくつかの変形態では、留め構成要素および嵌合用留め構成要素は類似してよい。
【００４１】
第１の機械的コネクタ構造および第２の機械的コネクタ構造は、留め構成要素および嵌合用留め構成要素上でランダムに配置されてよい。この場合、第１の機械的コネクタ構造および第２の機械的コネクタ構造は、その上に第１のコネクタ構造および第２のコネクタ構造がランダム配置で形成されるコネクタ材料によって提供されてよい。たとえば、そのようなコネクタ材料は、同一の化合物材料と相互接続するように設計され、ランダムに配置された第１の機械的コネクタ構造と第２の機械的コネクタ構造、たとえば、共通バッキング材料から突き出したランダムに配置されたフックとループとを備える、化合物材料であってよい。あるいは、第１の機械的コネクタ構造および第２の機械的コネクタ構造それ自体は、秩序立てられた様式で共通バッキング材料上に、しかし少なくとも１つのコネクタ上で見てランダム配置を依然としてもたらすスケールで、配置されてよい。
【００４２】
あるいは、第１のコネクタ構造および第２のコネクタ構造のうちの少なくとも１つは、留め構成要素の対応する表面にわたってパターンを形成するように配置されてよい。「パターン」を用いて、本明細書では、上記において説明されたランダム配置とは対照的に、第１の機械的コネクタ構造を備える少なくとも１つのエリアと第２の機械的コネクタ構造を備える少なくとも１つのエリアの秩序立てられた配置が意味される。
【００４３】
そのようなパターンは、以下で説明されるように、さまざまなタイプのコネクタ材料によって形成されてよい。パターンは、ウエストベルトの留め構成要素と嵌合用留め構成要素との間の相互接続の十分な可能性を提供するように、さまざまな様式で選択されてよい。
【００４４】
任意選択で、留め構成要素のそのようなパターンは、パターンが嵌合用留め構成要素の同一のパターン表面（すなわち、同一のパターンを備える）に機械的に接続可能であるように適合されてよい。
【００４５】
本開示では、「同一の」という用語は、本明細書において、特徴の意図された目的を考慮すると十分に同一であるものが意味される。特徴の機能に影響しない製造公差または若干の変化は、「同一の」という用語に含まれ得る。
【００４６】
あるいは、留め構成要素のそのようなパターンは、パターン表面が嵌合用留め構成要素の異なるパターン表面（すなわち、異なるパターンを備える）に機械的に接続可能であるように適合されてよい。
【００４７】
留め構成要素の端表面は、少なくとも留め構成要素の表面が嵌合用留め構成要素の表面に対する特定の向きを備える場合に接続され得る、機械的に接続可能な手段である。
【００４８】
留め構成要素は、長手方向中心軸（Ｘ）を画定し、留め構成要素の長さに対して平行に、留め構成要素の幅に対して中央に延在し、第１のコネクタ構造および第２のコネクタ構造によって形成されるパターンは、長手方向中心軸（Ｘ）に対して非対称であってよい。
【００４９】
長手方向中心軸に対して非対称であるパターンは、留め構成要素および嵌合用留め構成要素の相対的向きとは無関係に相互接続を提供するように設計されてよい。
【００５０】
留め構成要素は、横断方向中心軸（Ｙ）を画定し、留め構成要素の幅に対して平行に、留め構成要素の長さに対して中央に延在し、第１のコネクタ構造および第２のコネクタ構造によって形成されるパターンは、横断方向中心軸（Ｙ）に対して非対称である。
【００５１】
横断方向中心軸に対して非対称であるパターンは、留め構成要素および嵌合用留め構成要素の相対的向きとは無関係に相互接続を提供するように設計されてよい。
【００５２】
第１のコネクタ構造および第２のコネクタ構造によって形成されるパターンは、長手方向中心軸（Ｘ）の一方の側にある第１の構造の少なくとも一部分が、長手方向中心軸（Ｘ）の他方の側にある第２の構造の一部分を鏡写しにする、好ましくは、長手方向中心軸の一方の側にある第１の構造のすべての部分が、長手方向中心軸の他方の側にある第２の構造の一部分を鏡写しにするようなものであってよい。
【００５３】
長手方向中心軸上に鏡写しの第１の構造および第２の構造を備える（嵌合用）留め構成要素を用いて、２つの類似の留め構成要素と嵌合用留め構成要素との間の総合接続性は、相対的向きに関係なく、達成されてよい。
【００５４】
しかしながら、留め構成要素および嵌合用留め構成要素は、形状および外形に関して必ずしも同一でなければならないとは限らないが、留め構成要素の幅、長さ、パターン、および／または形状は、嵌合用留め構成要素の幅、長さ、パターン、および／または形状と異なってよいことに留意されたい。
【００５５】
第１のコネクタ構造および第２のコネクタ構造によって形成されるパターンは、横断方向中心軸（Ｙ）の一方の側にある第１の構造の少なくとも一部分が、横断方向中心軸（Ｙ）の他方の側にある第２の構造の一部分を鏡写しにする、好ましくは、横断方向中心軸（Ｙ）の一方の側にある第１の構造のすべての部分が、横断方向中心軸（Ｙ）の他方の側にある第２の構造の一部分を鏡写しにするようなものであってよい。
【００５６】
横断方向中心軸の上に見て鏡写しの第１の構造および第２の構造を備える留め構成要素および嵌合用留め構成要素を用いて、２つの類似の留め構成要素と嵌合用留め構成要素は、横断方向中心軸に対する向きに関係なく相互接続されてよい。
【００５７】
特に、長手方向中心軸（Ｘ）の一方の側および横断方向中心軸（Ｙ）の一方の側に置かれた第１の構造の少なくとも１つの部分が、長手方向中心軸（Ｘ）の他方の側にある第２の構造の一部分および横断方向中心軸（Ｙ）の他方の側にある第２の構造の一部分を鏡写しにしてよい。
【００５８】
第１の構造の少なくとも１つの部分が長手方向中心軸（Ｘ）上の第２の構造の一部分および横断軸（Ｙ）上の第２の構造一部分を鏡写しにする留め構成要素（または嵌合用留め構成要素）は、ウエストベルトの留め時に構成要素が合わさる限り、構成要素の相対的向きに関係なく、別の同一の嵌合用留め構成要素に接続されてよい。
【００５９】
第１のコネクタ構造および第２のコネクタ構造のうちの１つのみが、長手方向中心軸（Ｘ）の一方の側に置かれることがある。これは、たとえば、たとえば上記で説明された鏡写しパターンを形成するのに十分である。
【００６０】
第１のコネクタ構造および第２のコネクタ構造のうちの一方はフックを備えてよく、第１のコネクタ構造および第２のコネクタ構造のうちの他方はループを備えてよい。本明細書において意図される適用例に十分な強度およびしなやかさを提供するフック材料およびループ材料は、たとえば商標Ｖｅｌｃｒｏ（登録商標）のもとで市販されてよい。
【００６１】
適切なループ材料の例は、編んだループ、毛羽のあるループ、または不織ループ材料である。このタイプの材料は、たとえば３Ｍから市販されている。適切なフックタイプの例は、成形されたフックおよび織物フックである。フックは、異なる構成、たとえばマッシュルームを有することができる。フック材料は、たとえばＶｅｌｃｒｏから市販されている。
【００６２】
留め構成要素および嵌合用留め構成要素は各々、２ｍｍ未満、好ましくは１ｍｍ未満、最も好ましくは０．６ｍｍ未満の高さを有してよい。
【００６３】
第１の機械的コネクタ構造は第１のコネクタ材料によって提供されてよく、第２の機械的コネクタ構造は第２のコネクタ材料によって提供されてよい。たとえば、第１のコネクタ構造はループ材料であってよく、第２のコネクタ構造はフック材料であってよい。
【００６４】
留め構成要素および嵌合用留め構成要素は、ウエストベルト端区画に直接的または間接的に取り付けられてよい。たとえば、留め構成要素および嵌合用留め構成要素は、ベルト端区画の表面に粘着的に取り付けられてもよいし、またはこれに超音波接着されてもよい。第１のコネクタ材料は第２のコネクタ材料に取り付けられてよく、第２のコネクタ材料はベルト端区画のそれぞれの表面に取り付けられてよい。この場合、第１のコネクタ材料は、ベルト端区画に間接的に取り付けられる。同様に、第２のコネクタ材料は、ベルト端区画に直接的または間接的に取り付けられてよい。
【００６５】
留め構成要素および嵌合用留め構成要素は、キャリア材料を備えてよく、その上に第１のコネクタ材料および／または第２のコネクタ材料が取り付けられ、キャリア材料は、それぞれのベルト端区画に取り付けられる。この場合、留め構成要素と嵌合用留め構成要素の両方は、キャリアを介してそれぞれのベルト端区画に間接的に取り付けられる。キャリア材料は、ベルト端区画に直接的または間接的に取り付けられてよい。
【００６６】
留め構成要素および嵌合用留め構成要素では、第１のコネクタ構造および第２のコネクタ構造は、単一の連続的コネクタ材料によって提供されてよい。
【００６７】
そのような連続的コネクタ材料は、したがって、第１のコネクタ構造と第２のコネクタ構造の両方を備える。連続的コネクタ材料は、上記で言及されたように、第１の構造および第２の構造がランダムに配置される材料であってよい。連続的コネクタ材料は、第１の構造および第２の構造が選択されたパターンで配置される材料であってもよい。
【００６８】
第１のコネクタ材料、第２のコネクタ材料、キャリア材料、または単一の連続的コネクタ材料はそれぞれ、帯状であってよい。帯状材料としてのコネクタ材料の提供は、製造を鑑みて有利であり得る。そのような帯状材料は、いくつかの代替形態では、ベルト端区画の全長にわたって配置されてよい。
【００６９】
機械的コネクタを用いると、相互接続されたコネクタ構造の比較的小さいエリアが、十分な接続強度を提供するために必要とされることは理解されている。第１のコネクタと第２のコネクタとの間の剪断力は、相互接続されるとき、相互接続の強度を反映する。
【００７０】
一般的には、前記留め構成要素は前記第１のベルト端区画の内表面上に配置され、前記嵌合用留め構成要素は前記第２のベルト端区画の外表面上に配置される。
【００７１】
第１の機械的コネクタ構造は第１のコネクタ材料によって提供されてよく、前記第２の機械的コネクタ構造は第２のコネクタ材料によって提供されてよい。前記第２のコネクタ材料は、前記第１のコネクタ材料に、好ましくは前記第１のコネクタ材料上に、取り付けられてよい。
【００７２】
いくつかの例示的な実施形態では、第１のベルト端区画および第２のベルト端区画のいずれか１つは、伸縮性をもたせた領域を備える。
【００７３】
いくつかの例示的な実施形態では、ウエストベルトは、吸収性物品のための拡張ベルト製品である。
【００７４】
いくつかの例示的な実施形態では、中間ベルト区画は、吸収性物品とともに使用することが意図されたウエストベルトを形成するために、前記第１のベルト端区画と前記第２のベルト端区画との間に配置される。
【００７５】
一実施形態によれば、留め構成要素の方向ｘにおける幅および方向ｙにおける長さは、嵌合用留め構成要素の方向ｘにおける幅および方向ｙにおける長さに実質的に等しい。
【００７６】
「留め構成要素」という用語は、再度留めることが可能な取り付けのエリアを画定する留め要素を指す。留め構成要素は、留め構成要素が分離されるまでウエストベルトの幅を閉ざされた構成へと再構成／調整するために、ウエストベルトの再取り付けを可能にする。類似して、「嵌合用留め構成要素」という用語は、再度留めることが可能な取り付けのエリアを画定し、別の留め構成要素と接続および協働するように構成された留め要素を指す。嵌合用留め構成要素は、留め構成要素が分離されるまでウエストベルトの幅を閉ざされた構成へと再構成／調整するために、ウエストベルトの再取り付けを可能にする。
【００７７】
したがって、「嵌合用」という用語は、本明細書において、ウエストベルト構成を形成する目的で協働および接続するように配置および構成された留め構成要素のペアを定義するために使用される。したがって、「嵌合用」という用語は、ウエストベルトがその閉ざされた構成であるときに見られる嵌合用留め構成要素の配置を指す。
【００７８】
本開示の例示的な実施形態のさらなる特徴および本開示の例示的な実施形態に対する利点は、添付の特許請求の範囲および以下の説明を調べると明らかになるであろう。当業者は、本開示の範囲から逸脱することなく、以下において説明される実施形態以外の実施形態を作成するために例示的な実施形態のさまざまな特徴が組み合わされてよいことを理解する。
【００７９】
添付の図面を参照しながら、以下は、例として挙げられる本開示の実施形態のより詳細な説明となる。
【図面の簡単な説明】
【００８０】
【図１ａ】使用時に使用者に面することが意図された側面から本開示に記載のウエストベルトを備える、いわゆるベルト付き吸収性物品を示す図である。このウエストベルトは、吸収性物品のシャーシに接合される。
【図１ｂ】使用時に使用者に面することが意図された側面から本開示に記載のウエストベルトを備える、いわゆるベルト付き吸収性物品を示す図である。このウエストベルトは、吸収性物品のシャーシとは別個に設けられる。
【図２ａ】図１におけるウエストベルトの部品の拡大図である。第１のベルト端区画は、留め構成要素を備え、第２のベルト端区画は、嵌合用留め構成要素を備える。
【図２ｂ】図２ａにおける第１のベルト端区画の拡大図である。前記第２の横断方向ベルト端区画は、前記第２の横断方向ベルト端区画の外表面上に離間して配置された複数の嵌合用留め構成要素を備える。
【図３ａ】第１のコネクタおよび／または第２のコネクタのさまざまな実施形態を示す図である。
【図３ｂ】第１のコネクタおよび／または第２のコネクタのさまざまな実施形態を示す図である。
【図４ａ】第１のコネクタおよび／または第２のコネクタのさまざまな実施形態を示す図である。
【図４ｂ】第１のコネクタおよび／または第２のコネクタのさまざまな実施形態を示す図である。
【図５ａ】第１のコネクタおよび／または第２のコネクタのさまざまな実施形態を示す図である。
【図５ｂ】第１のコネクタおよび／または第２のコネクタのさまざまな実施形態を示す図である。
【図５ｃ】第１のコネクタおよび／または第２のコネクタのさまざまな実施形態を示す図である。
【図５ｄ】第１のコネクタおよび／または第２のコネクタのさまざまな実施形態を示す図である。
【図６ａ】第１のコネクタおよび／または第２のコネクタのさまざまな実施形態を示す図である。
【図６ｂ】第１のコネクタおよび／または第２のコネクタのさまざまな実施形態を示す図である。
【図６ｃ】第１のコネクタおよび／または第２のコネクタのさまざまな実施形態を示す図である。
【図７ａ】コネクタを備えるウエストベルト端区画のさまざまな実施形態を示す図である。
【図７ｂ】コネクタを備えるウエストベルト端区画のさまざまな実施形態を示す図である。
【図７ｃ】コネクタを備えるウエストベルト端区画のさまざまな実施形態を示す図である。
【図８】本開示による、いわゆるベルト付き吸収性物品のための拡張ベルトを示す図である。
【図９ａ】第１のコネクタおよび／または第２のコネクタのさらなる実施形態を示す図である。
【図９ｂ】第１のコネクタおよび／または第２のコネクタのさらなる実施形態を示す図である。
【発明を実施するための形態】
【００８１】
次に、本開示のさまざまな態様は、本開示の例示的な実施形態が示される添付の図面を参照しながら、以下でより十分に説明される。しかしながら、本開示の例示的な実施形態は、多くの異なる形で実施されてよく、本明細書においてに記載される実施形態に限定されると解釈すべきではない。むしろ、これらの実施形態は、徹底および完全性のために提供される。同じ参照文字は、説明全体を通して同じ要素を指す。
【００８２】
本開示は、一方では、ベルトタイプの使い捨て物品、いわゆるベルト物品に関し、この物品は、横断方向ベルトと、シャーシ部品とを備える。ベルト物品は、部品のシャーシ部品の前面端部品または背面端部品のどちらかに接続された横断方向ベルトを備えることを特徴とする。そのようなベルト物品をつけるとき、ベルトは、第１の段階において、使用者のウエストまわりに固定される。ベルト物品のシャーシ部品は、この場合、ベルトからだらりと垂れている。次いで、シャーシ部品は、使用者の脚の間に導かれ、ベルトに取り付けられ、ベルトは、その自由横断方向縁によってシャーシ部品上に配置された固定部材にぴったりくっつくことが意図された固定表面を備える。
【００８３】
本開示は、主に、使い捨て吸収性物品に関し、使い捨て吸収性物品は、使用後に吸収性物品として洗濯または復元または再使用されることが意図されていない物品を意味する。
【００８４】
本開示はまた、使用者のウエストのまわりにつけられた別個のベルトに固定されることが意図された使い捨て物品に関する。使い捨て物品は、すべてのその隅部において、使用者から離れるように向きづけられたベルトの表面上に配置された留め表面または固定表面に着脱可能に接続されることが意図された留め構成要素または固定部材を有する。
【００８５】
図１ａは、本開示によるベルト付き物品１０の実質的な構成要素を示し、使用時に使用者に面することが意図された側面からベルト付き物品１０が示されている。
【００８６】
ベルト物品は、シャーシと、ウエストベルトとを備える。さらに、ベルト物品１０は、長手方向Ｘと横断方向Ｙとを有し、ウエストベルト１５と、第１のカバーリング層２０を備えるシャーシ部品１２とを備える。言い換えれば、ベルト物品は、長手方向Ｘ’における長さ拡張部と、前記横断方向Ｙ’における幅拡張部とを有する。
【００８７】
シャーシは、第１のカバーリング層２０を含み、使用に際して使用者に面することが意図された第１の表面２１と、使用者から逸れた方を向くことが意図された第２の表面２２とを有する。
【００８８】
一般的には、厳密には必要とされないが、ウエストベルトは、部分的にまたは完全に伸縮性である。したがって、以下では、ウエストベルトは、ウエスト伸縮性ベルト、伸縮性ベルト、または単にベルトと呼ばれることがある。ベルト物品１０の伸縮性ベルト１５は、使用者のウエストを囲むことが意図されている。上記で言及されたように、伸縮性ベルトは、使用中に着用者に面する内表面と、使用中に着用者から逸れた方を向く外表面とを有し、前記ベルトは、第１のベルト端区画１６と、第２のベルト端区画１７とを備える。図１ａに示されるベルト物品では、第１のベルト端区画１６は、本質的に、第１のベルト半分であり、第２のベルト端区画１７は、本質的に、第２のベルト半分である。したがって、この例示的な実施形態では、ベルト１５は、第１のベルト半分１６と、第２のベルト半分１７とを有する。ベルト半分（第１のベルト端区画１６および第２のベルト端区画１７）は、ベルト物品の横断方向Ｙ’において延在する。より具体的には、シャーシ１２は、第１の端部分および第２の端部分１８、１４と、それらの間に延在する中央部分１２ａとを有する。ウエストベルト１５は、物品の着用者のまわりで互いに固着するためにシャーシの第１の端部分の両側に前記第１のベルト端区画１６および第２のベルト端区画１７が延在するように、シャーシ１２に取り付けられる。このために、以下でさらに説明されるように、物品の着用者のまわりでベルト端区画を互いに固着するために、第１のベルト端区画１６は留め構成要素を有し、第２のベルト端区画１７は嵌合用留め構成要素を有する。
【００８９】
この例示的な実施形態では、図１ａに示されるように、第１の端部分は背面端部品であり、第２の端部分は前面端部品である。したがって、ベルト半分１６、１７は、背面端部品１８内でシャーシ１２に接続され、第１のベルト半分１６は長手方向縁２に接合され、第２のベルト半分１７は、対向する長手方向縁１に接合される。
【００９０】
図１ａ〜図１ｂに簡単に示されるように、第１のベルト端区画１６は留め構成要素１１ａを備え、第２のベルト端区画１７は嵌合用留め構成要素１３ａを備える。さらに、留め構成要素１１ａおよび嵌合用留め構成要素１３ａの各１つは、第１の機械的コネクタ構造５１、５１ａと、第２の機械的コネクタ構造５２、５２ａと、を備える。本開示の例示的な実施形態によれば、各機械的コネクタ構造は、前記他の機械的コネクタ構造との機械的相互接続を形成することが可能であり、同一の構造との機械的相互接続を形成することが不可能である。これによって、留め構成要素１１ａおよび嵌合用留め構成要素１３ａは、前記第１のベルト端区画と前記第２のベルト端区画との相互接続を形成し、吸収性物品の着用者のまわりで互いに固着するように、前記第１の機械的コネクタ構造および前記第２の機械的コネクタ構造を介して機械的に接続可能である。
【００９１】
留め構成要素および嵌合用留め構成要素は、以下において、図２、図３ａ〜図９ｂを参照しながら詳細に説明される。図２、図３ａ〜図９ｂに関して説明される留め構成要素の特徴、パターン、機能、例、および詳細は、本明細書において明示的に述べられない限り、同様に、ウエストベルトの嵌合用留め構成要素に組み込まれてよいことが容易に理解されるべきである。さらに、図２、図３ａ〜図９ｂにおいて説明される例示的な実施形態は、上記で言及されたように、図１ａおよび図１ｂに関して説明されるウエストベルトおよび吸収性物品に組み込まれることが可能である。
【００９２】
図１ａ〜図１ｂを再び参照すると、前面端部品すなわちシャーシの第２の端部分１４は、シャーシの第２の端部分をベルトに固着するための留めデバイス４８、４９を含む。
【００９３】
ベルト半分すなわちベルト端区画という名称は、２つのベルト半分すなわちベルト端区画は同じ長さでなければならないことを意味しないことに留意されたい。代替実施形態では、一方のベルト半分は、他方より長くすることができる。しかしながら、２つのベルト部品の結合された長さは、使用者のウエストのまわりに達する。本開示の一代替態様では、ベルト物品１０の２つのベルト半分１６、１７は１つの材料片のみからなることができ、その材料片は、背面端部品１８全体を横切って、それぞれの長手方向縁１、２を越えて横断方向Ｙ’に延在する。ベルト１５は、本開示の他の代替態様によれば、非伸縮性または部分的に伸縮性とすることができる。部分的に伸縮性のベルト１５は、ベルト１５の長さの特定の部品は伸縮性の性質をもつが、ベルトの長さの特定の他の部品は伸縮性の性質をもたないことを意味する。
【００９４】
一般的には、厳密には必要ではないが、ベルト物品１０は第１のカバーリング層２０を備え、このカバーリング層は、ベルト物品１０が使用されるときに使用者に面することが意図された第１の表面２１と、対向する第２の表面２２とを備える。ベルト物品１０の第１のカバーリング層２０は、好ましくは、砂時計形状を有するが、たとえば、方形形状などの他の形状も思い出されてよい。
【００９５】
第１のカバーリング層２０は、目的に適した任意の材料からなることができる。使い捨て物品のための最も一般的な通気性カバーリング材料は、不織織物材料、いわゆる、さまざまな方法により製造された不織材料である。それほど一般的でないが思い付くのは、織布材料または網材料のカバーリング層２０の使用である。たとえば、カバーリング層２０として適切な不織材料は、ポリエステルまたはポリプロピレンなどの合成繊維から、または、綿繊維などの天然繊維から製造可能である。合成繊維および天然繊維の混合物も思い付く。不織材料の製造は、２つの主な段階、すなわち、ウェブ形成とウェブ結合からなる。ウェブ形成は、ウェブができる限り均一な表面重量から作製されることを意味し、このウェブは、天然の短繊維または人工の短繊維のカーディングによって作製可能である。スパンレイド法は別のウェブ形成法であり、この技法では、ポリマー材料は、連続コンベヤ上で細い連続繊維糸に押し出し加工される。押し出し加工された細い繊維糸は、ランダムな様式で連続コンベヤ上に着陸するので、押し出し加工後にランダム化される。ウェブ形成は、いくつかの異なる方法で行われることができる。一般に思い出される方法は、いわゆる熱接着であり、接着パターンは、ホットローラのうちの少なくとも１つがパターンを有するローラニップ内で融解して繊維ウェブになる。熱接着によるウェブ形成が機能するために、ウェブ内の繊維の少なくとも特定の部分が、合成可溶性繊維からならなければならない。思い付く接着パターンは、可変の外形、小さい方形、または円形面、花のパターンなどのドットである。上記で説明された方法に、および他の方法にも共通することは、カバーリング層２０の表面すべてが接着されるとは限らないが、接着エリアの間に、カバーリング層が、端の一方または両方において隣接する接着エリアに固定された繊維糸を備える開放エリアを有することである。
【００９６】
表面の異なる部品内の異なる材料からなるカバーリングなどの、前述の可能なカバーリング材料のうちの２つ以上からなる積層体も思い付く。カバーリング層２０は、使用時にベルト物品１０により良いフィット性を与えるために、完全にまたは部分的に伸縮性の材料からなることも思い付く。カバーリング層２０は、カバーリング層２０の前面端部品１４内でそれぞれの長手方向縁１、２において配置された、すなわち、カバーリング層２０の２つの前面隅部に接続される、留めデバイス（たとえば、第１の固定部材および第２の固定部材４８、４９）も有してよい。固定部材４８、４９は、カバーリング層２０の、ベルト物品１０が使用されるときに使用者に面することが意図された側に配置される。留めデバイス４８、４９は、一般的には、使用者へのベルト物品１０の装着時に、ベルト１５の、使用者から逸れた方を向くことが意図された側に配置されたループに着脱可能に接続されることが意図されたフック要素を備えてよい。
【００９７】
言い換えれば、シャーシの前記第２の端部分１４は、一般的には、シャーシの第２の端部分１４をウエストベルト１５に固着するための留めデバイス４８、４９を含む。
【００９８】
本開示の代替態様では、留めデバイス４８、４９は、ベルト物品１０の前面端部品１４に永久的に接続された別個の留め用つまみからなることができ、留め用つまみは、ベルト物品１０の縁の外部に延在する。フック要素は、この場合、留め用つまみ上に配置される。
【００９９】
ベルト物品１０が使用者につけられ得るとき、ベルト１５は、最初に、使用者のウエストのまわりに固定される。次いで、だらりと垂れるベルト物品１０の前面端部品１４が使用者の脚の間に導かれ、これに続いて、留めデバイス４８、４９が、ベルト１５の、使用者から逸れる側において、胃の上でベルト１５に固定される。この場合、留めデバイスのフック要素は、ベルト１５の、使用者から逸れる表面の上に配置されたループに固定される。ベルトがベルト物品の前面端部品に接続されるベルト物品も考えられる。そのような物品は逆の様式で使用者につけられる、すなわち、ベルトが使用者のウエストのまわりで固定された後、だらりと垂れている背面端部品が使用者の脚の間に導かれ、背部においてベルトの、使用者から逸れる側でベルトに固定される。
【０１００】
ベルト物品１０のフィット性を改善するために、第１のカバーリング層２０の長手方向縁１、２は、実質的に物品の長手方向Ｘにおいて配置された脚部ゴム４５を備えることが可能である。脚部ゴム４５の仕事としては、物品のフィット性を改善すること、およびベルト物品１０を、織物に近い多目的ブリーフ／パンツにすることがある。それぞれの脚部ゴム４５は、拡張された状態で接着、超音波溶接などによってカバーリング層２０に接合される１つまたは複数の伸縮性糸からなることができる。あるいは、それぞれの脚部ゴム４５は、たとえば、発泡材料の伸縮性リボン材料からなることができる。それぞれの脚部ゴム４５は、好ましくは、第１のカバーリング層２０の、ベルト物品１０が使用されるときに使用者から逸れた方を向くことが意図された側に配置される。
【０１０１】
ベルト物品１０の背面端部品または前面端部品１８、１４は、ベルト物品１０に使用者のウエストの柔らかくて可撓性の囲いを与えるためにベルト物品１０の第２の横断方向縁５または第１の横断方向縁４に沿って配置された伸縮性要素の形をした、いわゆるウエスト部ゴム４６も備えることができる。図１では、ベルト物品１０の前面端部品１４のみが、ウエスト部ゴム４６を備える。ウエスト部ゴム４６は、接着剤によって第１のカバーリング層２０の、使用者から逸れた方を向くことが意図された側に取り付けられる弾性フォーム材料の細いストリップからなる。ウエスト部ゴム４６は、使用者のウエストのまわりにベルト物品１０を伸張させる団結力（ｈｏｌｄｉｎｇ−ｔｏｇｅｔｈｅｒ  ｆｏｒｃｅ）を達成するために、伸張された状態でつけられる。留めデバイス４８、４９がベルト１５に留められるとき、前面端部品１４が使用時に使用者の胃の上で滑らかな構成を有するように、ウエスト部ゴム４６に、ベルト物品１０の横断方向Ｙに張力がかけられることが適切である。
【０１０２】
本開示の別の態様によれば、ベルト物品１０は、第１のカバーリング層２０の、使用時に使用者から逸れた方を向くことが意図された側に配置された第２のカバーリング層３０を備える。第２のカバーリング層３０は、Ｘ／Ｙ平面において第１のカバーリング層２０と同じ拡張を有する。第２のカバーリング層３０は、好ましくは、実質的に液体不透過性であるが、他のタイプのカバーリング層も存在することができる。第２のカバーリング層３０は、ある範囲のさまざまな材料からなることができるが、最も頻繁に、第２のカバーリング層３０は、薄い、好ましくは液体不透過性プラスチックフィルムからなるが、たとえば、プラスチックコーティング、たとえば、液体不透過性フォーム層、液体不透過性接着剤などによって実質的に液体不透過性にされている、不織材料などの、他のタイプの実質的に液体不透過性の材料を使用することも可能である。第２のカバーリング層３０は、あるいは、液体不透過性蒸気透過性材料、いわゆる通気性材料からなることができる。そのうえ、第１のカバーリング層２０の第２の表面２２に対して配置された少なくとも１つの液体不透過性、好ましくは通気性の層を備える積層体も、第２のカバーリング層３０として存在する。これらの積層体は、通常、浸漬に対するバリアとして機能する液体不透過性材料と、ベルト物品１０の、使用時に使用者から逸れる側に配置されたより織物状の材料からなる。それによって、ベルト物品１０の外部は、使用時に、より衣類に似る。積層体の織物状層は、通常、不織層からなるが、他の織物材料または織物状材料も存在する。第１のカバーリング層２０および第２の液体不透過性カバーリング層３０は、いくつかの異なる方法で互いに接合可能である。接合方法の例は、接着、熱融合、超音波溶接などである。第１のカバーリング層２０と実質的に液体不透過性の第２のカバーリング層３０とを備えるベルト物品１０の場合、このベルト物品１０は、上記で説明された脚部ゴム４５およびウエスト部ゴム４６を２つのカバーリング層２０、３０の間に配置するのに適している。第１のカバーリング層２０は、液体不透過性の第２のカバーリング層３０を備えるベルト物品１０では、時折の尿のしずくなどのより小さい体分泌、たとえば、最初に分泌される月経液または類似物、低吸収容量を有することができる。
【０１０３】
本開示の例示的な一実施形態によれば、ベルト物品１０は、第１のカバーリング層２０と第２の実質的に液体不透過性のカバーリング層３０との間に配置された吸収本体４０を有する。この態様によるベルト物品の第１のカバーリング層２０は、液体透過性でなければならない。この態様によるベルト物品１０は、失禁する成人によって、またはまだ排泄コントロールが可能になっていない小児によって使用されることが意図されたおむつに関する。吸収本体４０は、第１のカバーリング層および第２のカバーリング層２０、３０と実質的に同じプロファイルを有するが、これらよりも小さい表面を有する。したがって、２つのカバーリング層２０、３０は、吸収本体４０の円周全体に沿って吸収本体４０の縁の外部に延在する。吸収本体４０は、カバーリング層２０、３０とまったく同じように、前面端部品と、背面端部品と、これらの端部品の間に置かれた狭い股部品とを有する。吸収本体４０を備えるベルト物品の使用時に、股部品の前面部品および前面端部品は、主に、尿のための受け取りエリアのように機能するが、股部品の背面部品および背面端部品は、主に、糞便のための受け取りエリアとして機能する。液体透過性の第１のカバーリング層２０と実質的に液体不透過性の第２のカバーリング層３０は、その周囲全体に沿って吸収本体４０の外部で互いに接続される。吸収本体４０は、セルロースフラフパルプの１つまたは複数の層から構築可能である。セルロースフラフパルプは、吸収時に流体保持ゲルの形成を伴って大量の流体と化学的に結合するタイプの高吸収性ポリマー材料、いわゆる超吸収性材の繊維または粒子と混合可能である。吸収本体４０は、吸収本体の内部の層内に配置されたまたは吸収本体の１つまたは複数の表面に接続された高吸収性ポリマー材料も備えることができる。吸収本体４０は、吸収本体４０の性質を改善するためのさらなる構成要素をさらに含むことができる。そのような構成要素の例は、結合繊維、さまざまなタイプの流体分散層または繊維、寸法が安定した構成要素、強化繊維などである。
【０１０４】
図１ｂは、本開示による別のタイプの使い捨て物品８を示し、この使い捨て物品８は、使用者のウエストのまわりにつけられた別個のベルトに着脱可能に接続されることが意図されている。したがって、前記物品８は、ここでは、シャーシ１２と、上記で言及された特徴、例、機能、または態様のいずれか１つによるウエストベルト１５とを備え、前記ウエストベルト１５は、シャーシ１２とは別個に設けられる。一般的には、中間ベルト区画１９は、吸収性物品とともに使用することが意図された完全なウエストベルトを形成するために、前記第１のベルト端区画１６と前記第２のベルト端区画１７の間に配置される。
【０１０５】
本明細書において先に言及されたように、使い捨て物品８は、ベルト物品１０の第１のカバーリング層２０と同じ方法で構築された第１のカバーリング層２０を備えるシャーシを有する。使い捨て物品８は、本開示の他の態様によれば、第２のカバーリング層３０と、吸収本体４０とを備えることができる。第１のカバーリング層２０、第２のカバーリング層３０、および吸収本体４０は、ここでは、上記で説明されたベルト物品１０に関して構築および配置されたのと同じ方法で構築および配置される。使い捨て物品８は、砂時計形状を有するが、本開示の代替態様によれば、使い捨て物品８は、たとえば、方形形状などの任意の形状を有してよい。使い捨て物品８は、実質的に対称的に設計され、したがって、何の問題もなく、使用者の上で背面端部品１８とともに前面へ回転可能である。背面端部品または前面端部品１８、１４という用語は、本明細書において、端部品を区別することをさらに意図したものである。
【０１０６】
使い捨て物品８は、本明細書において説明される例示的な実施形態のいずれか１つによるウエストベルト１５を組み込むことができる。
【０１０７】
図２ａは、図１ａおよび図１ｂにおけるウエストベルト１５の区域の拡大図である。上記で言及されたように、ウエストベルトの前記第１のベルト端区画１６は、吸収性物品の着用者のまわりで互いに固着するために、留め構成要素および嵌合用留め構成要素によって第２のベルト端区画１７に相互接続されることが意図されている。第１のベルト端区画は留め構成要素１１ａを備え、第２のベルト端区画は嵌合用留め構成要素１３ａを備え、留め構成要素１１ａおよび嵌合用留め構成要素１３ａの各１つは、前記第１の機械的コネクタ構造５１、５１ａと、前記第２の機械的コネクタ構造５２、５２ａと、を備える。すなわち、留め構成要素１１ａは、第１の機械的コネクタ構造５１と第２の機械的コネクタ構造５２とを備えるが、嵌合用留め構成要素１３ａは、第１の機械的コネクタ構造５１ａと、第２の機械的コネクタ構造５２ａとを備える。前記第１の機械的コネクタ構造および第２の機械的コネクタ構造は２つの対応する構造である。各機械的コネクタ構造は、前記他の機械的コネクタ構造との機械的相互接続を形成することが可能であり、同一の構造との機械的相互接続を形成することは不可能である。このために、第１の機械的コネクタ構造は、第２の機械的コネクタ構造とは異なる。一例として、第１の機械的コネクタ構造はフックコネクタ構造であり、第２の機械的コネクタ構造はループコネクタ構造である。
【０１０８】
したがって、前記留め構成要素１１ａの第１の機械的コネクタ構造５１は前記嵌合用留め構成要素１３ａの前記第２の機械的コネクタ構造５２ａと異なり、前記留め構成要素１１ａの第２の機械的コネクタ構造５２は前記嵌合用留め構成要素１３ａの前記第１の機械的コネクタ構造５１ａと異なる。したがって、前記留め構成要素の前記第１の機械的コネクタ構造は、前記嵌合用留め構成要素の前記第２の機械的コネクタ構造と相互接続するように適合され、前記留め構成要素の前記第２の機械的コネクタ構造は、前記嵌合用留め構成要素の前記第１の機械的コネクタ構造と相互接続するように適合される。
【０１０９】
これによって、前記留め構成要素１１ａおよび前記嵌合用留め構成要素１３ａは、前記第１のベルト端区画と前記第２のベルト端区画との相互接続を形成し、吸収性物品の着用者のまわりで互いに固着するように、前記第１の機械的コネクタ構造５１、５１ａおよび前記第２の機械的コネクタ構造５２、５２ａを介して機械的に接続可能である。この文脈において、相互接続は、前記第１のベルト端区画が前記第２のベルト端区画に接合されているときの構成を指す。
【０１１０】
したがって、前記嵌合用留め構成要素が第１の機械的コネクタ構造と第２の機械的コネクタ構造とを備えるとすれば、留め構成要素１１ａは、嵌合用留め構成要素１３ａに機械的に接続可能である。
【０１１１】
このために、前記留め構成要素１１ａは、前記嵌合用留め構成要素１３ａと相互接続するように適合される。類似して、前記嵌合用留め構成要素１３ａは、前記留め構成要素１１ａと相互接続するように適合される。
【０１１２】
任意選択で、厳密には必要とされないが、それぞれの留め構成要素上での対応する機械的コネクタ構造の場所、およびその相対的向きは、対応するコネクタ構造が完全に合わさって相互接続を形成するようなものである。したがって、方向ｘおよび方向ｙに見られるような、第１のベルト端区画上での留め構成要素の大きさおよび向きは、一般的には、方向ｘおよび方向ｙに見られるような、第２のベルト端区画上での嵌合用留め構成要素の大きさおよび向きに対応する。
【０１１３】
一般的には、前記留め構成要素の前記第１の機械的コネクタ構造５１および前記第２の機械的コネクタ構造５２は第１のパターンで配置され、前記嵌合用留め構成要素の第１の機械的コネクタ構造５１ａおよび第２の機械的コネクタ構造５２ａは第２のパターンで配置される。加えて、前記第１のパターンおよび前記第２のパターンは、前記留め構成要素の第１の機械的コネクタ構造５１の少なくとも一部分が前記嵌合用留め構成要素の第２の機械的コネクタ構造５２ａの少なくとも一部分を鏡写しにし、前記留め構成要素の第２の機械的コネクタ構造５２の少なくとも一部分が前記嵌合用留め構成要素の第１の機械的コネクタ構造５１ａの少なくとも一部分を鏡写しにするように形成される。
【０１１４】
一例として、図２ａは、前記留め構成要素１１ａの第１の機械的コネクタ構造５１および第２の機械的コネクタ構造５２は第１のパターンで配置され、前記嵌合用留め構成要素１３ａの第１の機械的コネクタ構造５１ａおよび第２の機械的コネクタ構造５２ａは第２のパターンで配置される、本開示の例示的な一実施形態を示す。示されるように、前記第１のパターンは前記第２のパターンの鏡像である。
【０１１５】
言い換えれば、前記留め構成要素の第１の機械的コネクタ構造５１および第２の機械的コネクタ構造５２の配置は、前記嵌合用留め構成要素の第１の機械的コネクタ構造５１ａおよび第２の機械的コネクタ構造５２ａの配置の鏡像である。
【０１１６】
このようにして、留め構成要素の第１の機械的コネクタ構造５１および第２の機械的コネクタ構造５２と嵌合用留め構成要素の第１の機械的コネクタ構造５１ａおよび第２の機械的コネクタ構造５２ａは、２つの異なるコネクタ構造のエリア全体にわたって相互接続し、それによって、ウエストベルト端区画間の相互接続を最大まで増加させることが可能である。
【０１１７】
機械的コネクタ構造の特性により、第１の第２のベルト半分の留め構成要素は、ベルト１５が使用者のウエストのまわりにつけられるとき、第２のベルト半分１７の嵌合用留め構成要素１３ａに着脱可能に接続されることが意図されている。留め構成要素１１ａの外縁１９は、ここでは、ベルト半分１６の自由端２３から短い距離のところに配置される。あるいは、留め構成要素１１ａの外縁１９がベルト半分１６の自由端２３と一致することも思い付くことがある。留め構成要素１１ａがベルト半分１６の幅と同じ幅であることも思い付くことがある。
【０１１８】
留め構成要素および嵌合用留め構成要素は、超音波溶接、接着、またはそれらの組み合わせなどの、当技術分野で知られているさまざまな方法においてベルト端区画に接着されてよい。一般的には、図２ａに示されるように、留め構成要素１１ａは第１のベルト端区画１６の内表面上に配置され、嵌合用留め構成要素１３ａは第２のベルト端区画の外表面上に配置される。
【０１１９】
留め構成要素１１ａおよび嵌合用留め構成要素１３ａは機械的コネクタである。機械的コネクタは、他の材料への望ましくない接続を作成しがちでないが、それら自体の間の安心な接続を提供するという利点を有する。したがって、機械的コネクタを使用することによって、物品の使用中に着用者の上にウエストベルトおよび物品を維持するための、物品のベルト区画の一般的な留めが容易になる。したがって、留め構成要素および嵌合用留め構成要素は、ベルト端区画を機械的に互いに相互接続するのに特に適している。
【０１２０】
したがって、留め構成要素および嵌合用留め構成要素は、ウエストベルトを着脱可能に接続することを可能にするように構成され、これは、使用者が物品の前記ベルト端区画間の不適当な相互接続を意図せずに実行した場合にウエストベルトの位置を直す可能性も提供する。
【０１２１】
一般的に言えば、留め構成要素および嵌合用留め構成要素は、さまざまな角度において接続するように構成されてよい。図面は、対応する嵌合用留め構成要素と合わさる本質的に同一の留め構成要素を全体的に示すが、留め構成要素および嵌合用留め構成要素は、必ずしもパターン、形状、および／または外形に関して同一でなければならないとは限らないが、留め構成要素の幅、長さ、パターン、および／または形状は、嵌合用留め構成要素の幅、長さ、パターン、および／または形状と異なってよいことに留意されたい。
【０１２２】
この文脈において、本明細書において図５ａに関して説明される留め構成要素および／または嵌合用留め構成要素は、上記で図１ａ、図１ｂ、および図２ｂに関して説明されたウエストベルトに特に有用であることに留意されたい。しかしながら、以下で説明されるように、他の可能なパターンおよび形状も考えられる。
【０１２３】
図２ｂは、前記第２の横断方向ベルト端区画１７が、前記第２の横断方向ベルト端区画の外表面上で離間して配置された複数の嵌合用留め構成要素１３ａと１３ｂと１３ｃを備える、別の例示的な一実施形態を示す。さらに、各嵌合用留め構成要素は、前記第１のベルト端区画と前記第２のベルト端区画との相互接続を形成し、吸収性物品の着用者のまわりで互いに固着するように、前記留め構成要素および複数の前記嵌合用留め構成要素のいずれか１つが第１の機械的コネクタ構造および第２の機械的コネクタ構造を介して機械的に接続可能であるように、前記第１の機械的コネクタ構造と、前記第２の機械的コネクタ構造とを備える。
【０１２４】
したがって、本開示の例示的な実施形態における使い捨て物品は、特に図１ａ、図２ａ、または図２ｂに関して説明されるように、シャーシとウエストベルトを備え、前記シャーシは、第１の端部分と、第２の端部分と、それらの間に延在する中央部分とを有し、使用に際して使用者に面することが意図された第１の表面２１と、使用者から逸れた方を向くことが意図された第２の表面２２とを有する第１のカバーリング層２０を含む。さらに、前記ウエストベルトは、物品の着用者のまわりで互いに固着するためにシャーシの第１の端部分の両側に前記第１の横断方向ベルト端区画および前記第２の横断方向ベルト端区画が延在するように、シャーシに取り付けられ、シャーシの前記第２の端部分は、シャーシの第２の端部分をベルトに固着するための留めデバイス４８、４９を含む。
【０１２５】
たとえば図１ａ〜図１ｂ、図２ａ〜図２ｂおよび図３ａ〜図９ｂに示される、本明細書における例示的な実施形態では、留め構成要素および嵌合用留め構成要素は両方とも、第１の機械的コネクタ構造、たとえば５１、５１ａと、第２の機械的コネクタ構造、たとえば５２、５２ａと、をそれぞれ備えることが想定される。
【０１２６】
いくつかの変形態では、留め構成要素の第１の機械的コネクタ構造および第２の機械的コネクタ構造５１、５２は、ベルト端区画の表面の上でパターンを形成するように配置されてよい。図３ａ〜図３ｂ、図４ａ〜図４ｂ、図５ａ〜図５ｃに関して説明される例示的な実施形態はすべて、第１の機械的コネクタ構造および第２の機械的コネクタ構造５１、５２が、秩序立てられたパターンを形成するように配置される例示的な実施形態である。
【０１２７】
いくつかの変形態では、パターンは、第１のベルト端区画の一部分が、留め構成要素および嵌合用留め構成要素を介して第２のベルト端区画の一部分に機械的に接続可能であるように適合されてよい。少なくとも、図３ａ〜図３ｂおよび図４ａ〜図４ｂに説明される変形態は、そのような使用に適合される。留め構成要素および嵌合用留め構成要素を介してベルト端区画に機械的に接続可能であるために、そのような接続を達成するために、依然として、留め構成要素および嵌合用留め構成要素の向きに関する要件があり得ることに留意されたい。
【０１２８】
いくつかの変形態では、パターンは、それぞれのベルト端区画が互いに対してどのように向けられるかに関係なく、第１のベルト端区画は、留め構成要素および嵌合用留め構成要素を介して第２のベルト端区画に機械的に接続可能であるように適合されてよい。言い換えれば、同一の留め構成要素および嵌合用留め構成要素を一緒に設定しようとするときにすべての考えられる組み合わせが成功するので、接続システムは絶対安心である。図３ａ〜図３ｂは、留め構成要素および嵌合用留め構成要素のそのような変形態を示す。
【０１２９】
図３ａ〜図３ｂ、図４ａ〜図４ｂ、および図５ａ〜図５ｂでは、さまざまな留め構成要素が、長手方向軸Ｘおよび横断軸Ｙを参照しながら示されている。図は留め構成要素のみを示すが、軸は、物品の長手方向ｘ’および横断方向ｙ’に対して本質的に画定されることに留意されたい。
【０１３０】
上記で図に関して言及される説明は、同様に、例示的な実施形態のさまざまな嵌合用留め構成要素に適用可能であることが容易に考えられるべきである。
【０１３１】
一般的には、留め構成要素（および嵌合用留め構成要素）は各々、留め構成要素の長さに平行に、留め構成要素の幅に対して中央に延在する、長手方向中心軸Ｘを画定する。同様に、留め構成要素（および嵌合用留め構成要素）は各々、留め構成要素の幅に平行に、留め構成要素の長さに対して中央に延在する、横断方向中心軸Ｙを画定する。同じ説明は、ベルト端区画の拡張および方向にも適用され得る。
【０１３２】
図３ａは、第１の機械的コネクタ構造および第２の機械的コネクタ構造５１、５２によって形成されるパターンが前記長手方向中心軸Ｘに対して、および横断方向中心軸Ｙに対して非対称である留め構成要素１１ａの一変形態を示す。
【０１３３】
さらに、第１のコネクタ構造および第２のコネクタ構造５１、５２によって形成されるパターンは、長手方向中心軸Ｘの一方の側にある第１の構造５１の各部分が、長手方向中心軸Ｘの他方の側にある第２の構造５２の一部分を鏡写しにするようなものである。同様に、横断方向中心軸Ｙの一方の側にある第１の構造５１の各部分は、横断方向中心軸Ｙの他方の側にある第２の構造５２の一部分を鏡写しにする。
【０１３４】
これは、図３ａに示される「チェス盤」にパターン化された留め構成要素１１ａをもたらす。
【０１３５】
鏡写しの第１のコネクタ構造および第２のコネクタ構造５１、５２を有する配置は、ベルト端区画の両方に適用されると前記ベルト端区画の絶対安心な相互接続をもたらす留め構成要素をもたらす。コネクタが互いと合わさるとき、コネクタがどのような向きに位置するとしても、第１の機械的コネクタ構造５１の各部分は常に第２の機械的コネクタ構造５２の一部分に合わさり、前記部分間の相互接続がなされる。したがって、相互接続が作られる可能性は、２つのそのような留め構成要素（留め構成要素および嵌合用留め構成要素）がランダムに組み立てられる場合、１００％である。
【０１３６】
図３ｂは、第１のコネクタ構造および第２のコネクタ構造５１、５２によって形成されるパターンが前記長手方向中心軸Ｘに対して、および横断方向中心軸Ｙに対して非対称である留め構成要素１１ａの別の変形態を示す。
【０１３７】
この場合、長手方向中心軸Ｘの一方の側では、第２のコネクタ構造５２のみが現れる。長手方向中心軸Ｘの他方の側では、横断軸Ｙの上に見て交互するように配置され互いを鏡写しにする第１のコネクタ構造５１の一部分と第２のコネクタ構造５２の一部分とを備えるパターンがある。
【０１３８】
図示の配置では、長手方向中心軸Ｘの一方の側にある第１の構造５１の各部分は、長手方向中心軸Ｘの他方の側にある第２の構造５２の一部分を鏡写しにする。同様に、横断方向中心軸Ｙの一方の側にある第１の構造５１の各部分は、横断方向中心軸Ｙの他方の側にある第２の構造５２の一部分を鏡写しにする。したがって、留め構成要素も示されている。
【０１３９】
図３ｂは、そのようなコネクタをベルト端区画の両方において備える留め構成要素間の絶対安心な相互接続という結果をもたらす。留め構成要素と嵌合用留め構成要素が互いと合わさるとき、留め構成要素および嵌合用留め構成要素がどのような向きにあるとしても、留め構成要素の第１の構造５１の何らかの部分は常に嵌合用留め構成要素の第２の構造５２の一部分に合わさり、相互接続がなされる。したがって、相互接続が作られる可能性は、２つのそのような留め構成要素（留め構成要素および嵌合用留め構成要素）がランダムに組み立てられる場合、１００％である。
【０１４０】
図３ｂに示される実施形態では、第１の機械的コネクタ構造５１のすべての部分が、留め構成要素および嵌合用留め構成要素のすべての可能な相対的な向きにおいて第２の機械的コネクタ構造５２の一部分と合わさるとは限らないことがある。しかしながら、これは、留め構成要素と嵌合用留め構成要素との接続を保証するために必要とされない。したがって、図３ｂに示される配置は、図３ａの配置の簡略化された変形態として認められてよい。
【０１４１】
２つのそのような留め構成要素と嵌合用留め構成要素との接続を絶対安心にするように、実際、長手方向中心軸Ｘの一方の側および横断方向中心軸Ｙの一方の側に置かれ、長手方向中心軸Ｘの他方の側にある第２の構造５２の一部分および横断方向中心軸Ｙの他方の側の第２の構造５２の別の部分を鏡写しにする、第１の構造５１の少なくとも１つの部分を提供するために、図３ｂに示される留め構成要素に類似しているが、第１の構造５１の単一部分のみを備える留め構成要素を提供することは十分であろう。
【０１４２】
図４ａは、第１の機械的コネクタ構造５１および第２の機械的コネクタ構造５２が長手方向軸Ｘに対しては非対称的に配置されるが、横断軸Ｙに関しては対称的に配置される、留め構成要素の一例を示す。類似して、図４ａは、第１の機械的コネクタ構造５１ａおよび第２の機械的コネクタ構造５２ｂが長手方向軸Ｘに対しては非対称的に配置されるが、横断軸Ｙに関しては対称的に配置される、嵌合用留め構成要素の一例を示し得る。
【０１４３】
そのような配置は、一般に、留め構成要素と嵌合用留め構成要素との相互接続に関して提供する多機能性は低くなるが、それにもかかわらず、製造の容易さに寄与し得る。
【０１４４】
図４ａにおける留め構成要素の例示的な実施形態は、長手方向軸Ｘの一方の側において延在し、前記軸Ｘの上でわずかに延在する第１のコネクタ構造５１の一部分を備える。したがって、第２のコネクタ構造５２の一部分は、長手方向軸Ｘからある距離のところに配置され、長手方向軸Ｘからさらに離れて延在する。第１のコネクタ構造および第２のコネクタ構造５１、５２の部分は両方とも、長手方向軸Ｘに沿って帯状に延在する。
【０１４５】
留め構成要素の第１のコネクタ構造５１が嵌合用留め構成要素の第２のコネクタ構造５２ａと合わさるように、同一の留め構成要素および嵌合用留め構成要素が互いに対して位置決めされる場合、図４ａに示される留め構成要素は、同一の嵌合用留め構成要素に機械的に接続されてよい。したがって、両方のベルト端区画において同一のそのような留め構成要素を備える構成は、ランダムに向けられた場合、５０％という、相互接続される可能性を示す。
【０１４６】
しかしながら、図４ａにおける留め構成要素の実施形態は、たとえば図４ｂに示されるように、構成の相互接続を容易にするために、別の構成要素とともに使用されてよい。図４ｂに示される留め構成要素は、長手方向軸Ｘに沿って延在する第１のコネクタ構造５１の２つの部分を備える。第２のコネクタ構造５２の一部分は、さらに、第１のコネクタ構造５１の２つの部分の間に配置される。
【０１４７】
図４ｂの留め構成要素の第２のコネクタ構造５２は、図４ａにおける嵌合用留め構成要素の第２のコネクタ構造５２ａに対して千鳥状の関係で配置される。したがって、図４ｂによる留め構成要素は、留め構成要素および嵌合用留め構成要素が互いに対してどのように向けられるかに関係なく、図４ａによる嵌合用留め構成要素に接続可能である。
【０１４８】
したがって、構成は、ベルト端区画の上に図４ａによる留め構成要素１１ａと、別のベルト端区画の上に図４ｂによる留め構成要素１３ａとを備えてよい。この場合、留め構成要素と嵌合用留め構成要素との間の相互接続を達成する可能性は、構成要素の相対的向きに関して関心をもたないとき、約７５％になり得る。
【０１４９】
図３ａ〜図３ｂおよび図４ａ〜図４ｂの例によって理解されるように、前記留め構成要素および前記嵌合用留め構成要素の上に設けられた第１の機械的コネクタおよび第２の機械的コネクタを介した互いとの相互接続のために意図された留め構成要素および嵌合用留め構成要素のさまざまな設計および例示的な実施形態は、留め構成要素の第１の機械的コネクタおよび第２の機械的コネクタが嵌合用留め構成要素の第１の機械的コネクタおよび第２の機械的コネクタに機械的に接続可能であるように設けられてよい。
【０１５０】
この場合、前記留め構成要素および前記嵌合用留め構成要素の第１の機械的コネクタおよび第２の機械的コネクタは、同一であってもよい。あるいは、前記留め構成要素および前記嵌合用留め構成要素の第１のコネクタおよび第２のコネクタは、異なってもよい。
【０１５１】
別の選択肢は、第１の機械的コネクタと第２の機械的コネクタとを有する前記留め構成要素および前記嵌合用留め構成要素を提供することであり、第１の機械的コネクタおよび／または第２の機械的コネクタの外観は、あるベルト端区画の留め構成要素と別のベルト端区画の嵌合用留め構成要素との間で異なってよい。
【０１５２】
たとえば、留め構成要素は第１のパターンを示してよく、嵌合用留め構成要素は第２のパターンを示してよい。この場合、留め構成要素と嵌合用留め構成要素との接続可能性は、依然として十分なレベルの接続強度を提供しながら、異なってもよい。それにもかかわらず、適切なパターンと、パターン間の適切な変化を選択することによって、十分な数の接続可能性が得られることが保証され得る。
【０１５３】
図５ａから図５ｄは、そのような実施形態に使用され得る留め構成要素および嵌合用留め構成要素のいくつかの変形態を示す。これらの変形態では、留め構成要素１１ａは、長手方向軸および横断軸Ｘ、Ｙに鑑みて対称的に配置される。第１のコネクタ構造５１は、第２のコネクタ構造５２によって占有される、長手方向軸Ｘに沿って延在する帯状エリアの上で離れて、留め構成要素１１ａによってまたがれるエリア全体の上に延在する。図５ａ〜図５ｄから、第２のコネクタ構造５２の帯状エリアと長手方向軸Ｘとの距離が変化するので、第２のコネクタ構造５２の帯状エリアの場所が図の変形態の間でどのように変化するかがわかるであろう。第２のコネクタ構造５２を備えるエリアは、留め構成要素１１ａのエリアの上で「さまよう」と説明され得る。
【０１５４】
この目的で、例示的な実施形態によって示されるように、留め構成要素および嵌合用留め構成要素は、前記留め構成要素および前記嵌合用留め構成要素の向きに関係なく、常に互いに接続可能である。しかしながら、留め構成要素が、別の、同一の嵌合用留め構成要素に接続可能である場合、たとえ２つの同一の構成要素が同様に向けられるときに合わさっても、接続が発生しないリスクがある。
【０１５５】
図５ａ〜図５ｄに関して説明される実施形態では、留め構成要素および嵌合用留め構成要素の異なるパターンが、選択されるパターンを制御された様式で変化させることによって得られる。そのような変形形態は、たとえば、留め構成要素および嵌合用留め構成要素を形成するための繰り返されるパターンを示す連続的なコネクタ材料を使用する場合、およびパターンの繰り返しが、選択された構成要素長さで均一に分割可能でない場合、起こる。この場合、コネクタ材料から切断された各留め構成要素および各嵌合用留め構成要素に対して、パターンは、パターンの繰り返しの長さと構成要素長さとの間の不一致に対応するある距離を「さまよう」。
【０１５６】
ランダムに選択または変化されたパターンを留め構成要素および嵌合用留め構成要素が備える他の実施形態が可能である。
【０１５７】
ベルト端区画にある留め構成要素および嵌合用留め構成要素１１ａ、１３ａを提供するために、数多くの代替形態が可能である。
【０１５８】
たとえば、第１の機械的コネクタ構造５１が第１のコネクタ材料５１’によって提供されてよく、他のコネクタ構造が第２のコネクタ材料５２’によって提供される。
【０１５９】
図６ａから図６ｃは、軸Ｙに沿った断面において見られる、留め構成要素および嵌合用留め構成要素のさまざまな変形態を示す。
【０１６０】
図６ａは、第２のコネクタ材料５２’が第１のコネクタ材料５１’に取り付けられる一変形態を示す。次いで、第１のコネクタ材料５１’は、接着剤、超音波溶接などによって、それぞれのベルト端区画に取り付けられてよい。
【０１６１】
この変形態を使用して、図３ａまたは図３ｂに示される留め構成要素または嵌合用留め構成要素などの留め構成要素または嵌合用留め構成要素の変形態は、連続的な第１のコネクタ材料片５１’上への断続的な第２のコネクタ材料片５２’の取り付けによって製造されてよい。
【０１６２】
別の変形態では、第１のコネクタ材料５１’は、連続的な材料片として提供されてよい。第２のコネクタ材料５２’は、貫通穴が形成される材料片として提供されてよい。次いで、第２のコネクタ材料５２’は、第１のコネクタ材料５１’の第１のコネクタ構造５１が第２のコネクタ材料５２’内の貫通穴を介してアクセス可能であるように、第１のコネクタ材料５１’の上に加えられてよい。次いで、第１のコネクタ材料５１’は、それぞれのベルト端区画に取り付けられてよい。
【０１６３】
たとえば、最後に言及された変形態によれば、貫通穴が切り取られた、連続的な第２のコネクタ材料片５２’は、連続的な第１のコネクタ材料片５１’の上に積層され、連続的なコネクタ材料片が第１の機械的コネクタ構造５１と第２の機械的コネクタ構造５２とを備え、これは、留め構成要素および嵌合用留め構成要素１１ａ、１３ａを形成するために使用され得る、という結果になってよい。第１のコネクタ材料５１’は、この場合、ループ材料であってよく、第２のコネクタ材料５２’はフック材料であってよい。
【０１６４】
上記で言及された例では、貫通穴は、ランダムな変化を示す、異なる留め構成要素または嵌合用留め構成要素を提供するように、ランダムに切り取られてよい。
【０１６５】
あるいは、貫通穴は、選択されたパターンで切り取られてよい。選択されたパターンを備えるコネクタ材料は、同一の留め構成要素および嵌合用留め構成要素を形成するために使用されてもよいし（たとえば、パターンの繰り返しが、留め構成要素および嵌合用留め構成要素の長さで均一に分割可能である場合）、または異なる留め構成要素および嵌合用留め構成要素を形成するために使用されてもよい（たとえば、パターンの繰り返しが、留め構成要素および嵌合用留め構成要素の長さで均一に分割可能でない場合）。
【０１６６】
図６ｂは、留め構成要素１１ａがキャリア材料５３を備え、その上に前記第１のコネクタ材料および第２のコネクタ材料５１’、５２’が取り付けられる一変形態を示す。キャリア材料５３は、一般的には、本体部分のそれぞれのベルト端区画１６、１７に取り付け可能である。
【０１６７】
図６ａおよび図６ｂによって例示される変形態は、ベルト端区画の製造後、そのすぐ上に形成されてよい。
【０１６８】
図６ｃは、第１の機械的コネクタ構造５１および第２の機械的コネクタ構造５２が単一の連続的コネクタ材料によって提供される留め構成要素の一実施形態を示す。そのような材料は、機械的コネクタ構造５１、５２がそれから延在するバッキング５５を備えてよい。
【０１６９】
図６ａから図６ｃの例では、留め構成要素は、ベルト端区画１６、１７に取り付けられ得る連続的な材料片を形成する一体的留め構成要素として示されている。当然のことながら、一体的留め構成要素の他の変形態が考えられる。
【０１７０】
しかしながら、留め構成要素はまた、ベルト端区画の上に断続的に配置されたコネクタ構造材料の１つまたはいくつかの別個の材料片の取り付けによって形成されてよい。この場合、留め構成要素は、断続的な留め構成要素として説明されてよい。類似して、嵌合用留め構成要素は、嵌合用ベルト端区画の上に断続的に配置されたコネクタ構造材料の１つまたはいくつかの別個の材料片の取り付けによって形成されてもよい。この場合、嵌合用留め構成要素は、断続的な嵌合用留め構成要素として説明されてよい。
【０１７１】
そのうえ、いくつかの変形態によれば、ベルト端区画の各１つは、前記ベルト端区画に接着された留め構成要素のセットを備えてよい。留め構成要素のセットは、一般的には、長手方向に見て離間して配置された複数の留め構成要素を備える。さらに、またはあるいは、複数の留め構成要素は、横断方向に見て離間して配置されてよい。
【０１７２】
類似して、第２のベルト端区画は、前記第２のベルト端区画に接着された嵌合用留め構成要素のセットを備えてよい。嵌合用留め構成要素のセットは、一般的には、長手方向に見て離間して配置された複数の嵌合用留め構成要素を備える。さらに、またはあるいは、複数の嵌合用留め構成要素は、横断方向に見て離間して配置されてよい。
【０１７３】
図７ａによって示されるように、留め構成要素１１ａは、方向Ｘに見てベルト端区画全体の上に本質的に延在するように配置されてよい。図７ａ〜図７ｃは、さまざまな変形態の説明および図示を簡単にするように、物品のベルト端区画の切欠図を示すに過ぎないことに留意されたい。
【０１７４】
留め構成要素が一体的留め構成要素である場合、たとえば、図６ａから図６ｃの例によれば、これは、方向Ｘに見てベルト端区画全体が留め構成要素１１ａによって覆われることを意味する。
【０１７５】
あるいは、留め構成要素は、ベルト端区画の長さＬまたは幅Ｗの一部分の上にのみ延在してよい。
【０１７６】
図７ｂは、留め構成要素１１ａがベルト端区画の長さＬの一部分の上および幅Ｗの一部分の上にのみ延在する配置を示す。この場合、留め構成要素１１ａは、前記幅および長さに鑑みて（および、したがって、前記長手方向および前記横断方向軸Ｘ、Ｙに鑑みて）中央に配置される。
【０１７７】
図７ｃは、留め構成要素１１ａがベルト端区画の長さＬ全体の上に延在するが、幅Ｗの一部分の上にしか延在しない配置を示す。留め構成要素１１ａは、前記幅および長さに鑑みて（および、したがって、前記長手方向および前記横断方向軸Ｘ、Ｙに鑑みて）中央に配置される。
【０１７８】
ベルト端区画上の留め構成要素の中央配置は、前記第１のベルト端区画の上に配置された留め構成要素と前記第２のベルト端区画の上に配置された嵌合用留め構成要素が制御された様式で合わさることを保証するために使用されてよい。この場合、長手方向軸および／または横断軸に対する第１の表面構造および／または第２の表面構造の任意の所望の非対称性は、留め構成要素に対する表面構造の配置によって得られる。
【０１７９】
しかしながら、変形態が考えられ、長手方向軸および／または横断軸に対する第１の表面構造および／または第２の表面構造の任意の所望の非対称性が、ベルト端区画上での留め構成要素の非対称的な配置によって少なくとも部分的に得られる。
【０１８０】
ベルト端区画に対する留め構成要素１１ａの取り付けは、直接的または間接的に実行されてよい。有利には、取り付けは、たとえば接着によって、または接着性ステッカーとしての留め構成要素の提供によって実行される、接着性取り付けであってよい。あるいは、ベルト端区画に対する留め構成要素の取り付けは、超音波接着を形成するために、超音波溶接によって実行されてよい。
【０１８１】
留め構成要素１１ａおよび嵌合用留め構成要素１３ａは各々、２ｍｍ未満、好ましくは１ｍｍ未満、最も好ましくは０．６ｍｍの高さを有してよい。高さは、たとえばバッキング材料などを含めて、コネクタ全体を含むことができる。
【０１８２】
留め構成要素と嵌合用留め構成要素との間の剪断力は、相互接続されるとき、相互接続の強度を反映する。留め構成要素および嵌合用留め構成要素は、接続時に相互接続が、物品がそのベルト付き構成において使用可能であるときに必要とされる力に抵抗することが可能であるように選択されるべきである。
【０１８３】
構成のさまざまな例では、留め構成要素および嵌合用留め構成要素が、互いと、および／または例のいずれか１つに関して説明される特徴と組み合わされてよいことが理解される。
【０１８４】
必要に応じて、第１の機械的コネクタ構造および第２の機械的コネクタ構造によって形成されるパターンは、物品の使用中に快適で安心なベルト付き構成を形成するように、適切な留めを示すための視覚的しるしとして使用されてよい。そのようなしるしは、特に、物品ならびにその留め構成要素および嵌合用留め構成要素が相互接続のより高い可能性を提供するように適合されるときに有用であり得る。
【０１８５】
本明細書において提案されるさまざまな留め構成要素および嵌合用留め構成要素は、必要に応じて使用者または介護者が物品を開いて再度閉じるように設計されたベルト付き物品に特に有用である。
【０１８６】
ベルト端区画間の相互接続を達成するために留め構成要素および嵌合用留め構成要素をどのようにして提供するかについて説明する上記の開示に鑑みて、物品が、取り扱いの安全性および容易さに関して改善された留め能力を備えることが理解されよう。
【０１８７】
適切な留め構成要素を提供するために第１のコネクタ構造および第２のコネクタ構造によって形成されるさまざまなパターンが設計されてよく、そのようなパターンは、さまざまな様式で組み合わされてよい。図示の例において与えられるパターンのうちのいくつかは、第１の機械的コネクタ構造または第２の機械的コネクタ構造を備える連続的な方形エリアを示すが、パターンは、当然のことながら、任意の所望の形状、たとえば、三角形、円形、半円形などを有する、他の断続的なまたは連続的なエリアによって形成されてよい。
【０１８８】
一例として、図９ａは、第１の機械的コネクタ構造および第２の機械的コネクタ構造５１、５２がそれぞれ直角三角形として提供される、三角形の形状をした留め構成要素の例示的な一実施形態を示す。
【０１８９】
図９ｂは、第１の機械的コネクタ構造および第２の機械的コネクタ構造５１、５２がそれぞれ半円として提供される、円の形状をした留め構成要素の別の例示的な実施形態を示す。図９ａおよび図９ｂに示される形状は嵌合用留め構成要素の形状に使用されてよいことが容易に理解されるべきである。したがって、留め構成要素および嵌合用留め構成要素、ならびに機械的コネクタのパターンは、ウエストベルト、ベルト付き物品およびそれらの使用の設計および機能に応じて、いくつかの異なる形および形状で提供されてよいことに留意されたい。
【０１９０】
一般的には、前記第１の機械的コネクタ構造および第２の機械的コネクタ構造５１、５２のうちの一方はフックを備え、第１のコネクタ構造および第２のコネクタ構造５１、５２のうちの他方はループを備える。
【０１９１】
機械的コネクタはそれぞれ、フック材料およびループ材料であるのは必然的であることにも留意されたい。したがって、本開示のすべての例示的な実施形態では、前記第１のコネクタ構造および前記第２のコネクタ構造５１、５２（５１ａ、５２ａ）のうちの一方が第１のタイプのフックを備え、前記第１のコネクタ構造および前記第２のコネクタ構造５１、５２（５１ａ、５２ａ）のうちの他方が第２のタイプのフックを備え、前記第１のタイプのフックは、前記第２のタイプのフックと異なるフック特性を有する。
【０１９２】
さらに、上記で言及されたように、第１のベルト端区画および第２のベルト端区画のいずれか１つは、いくつかの例示的な実施形態では、伸縮性をもたせた領域を備えてよい。
【０１９３】
さらに、図８に示されるように、前記ウエストベルトが吸収性物品のための拡張ベルト製品１５’であることも可能である。図８に示されるように、中間ベルト区画１９は、吸収性物品とともに使用することが意図されたウエストベルトの拡張を形成するために、前記第１のベルト端区画と前記第２のベルト端区画との間にさらに配置される。
【０１９４】
「不織」という用語は、性質に関して一方は紙および厚紙のグループと他方は織物との間に置かれる広範囲の製品に適用される。不織布に関して、エアレイド法、湿式法、スパンレース法、スパンボンド法、メルトブロー法などの、多数の非常に多様な生産プロセスが使用される。繊維は、現場で生産される合成繊維として、無端繊維、もしくは無限の長さを有する前もって製作された繊維の形をとってもよいし、または短繊維の形をとってもよい。あるいは、繊維は、天然繊維から作製されてもよいし、または合成繊維および天然繊維のブレンドから作製されてもよい。
【０１９５】
「吸収性物品」によって、尿および／または血液などの体液を吸収するまたはこれを吸収するように適合された物品が意味される。
【０１９６】
本開示は、本開示の説明された態様、変形態、代替形態、および例示的な実施形態のあらゆる考えられる組み合わせも包含する。
【０１９７】
そのうえ、本開示は、前述の態様に限定されず、当然のことながら、以下の特許請求の範囲内に含まれる他の態様に適用可能である。
【０１９８】
特許請求の範囲において言及される参照符号は、特許請求の範囲によって保護される物の範囲を制限すると見なされるべきでなく、参照符号の唯一の機能は、特許請求の範囲をより理解しやすくすることである。
【符号の説明】
【０１９９】
１  長手方向縁
２  長手方向縁
４  第１の横断方向縁
５  第２の横断方向縁
８  使い捨て物品、物品
１０  ベルト付き物品、ベルト物品
１１ａ  留め構成要素
１２  シャーシ部品、シャーシ
１２ａ  中央部分
１３ａ  嵌合用留め構成要素
１４  第２の端部分、前面端部品
１５  ウエストベルト、伸縮性ベルト、ベルト
１５’  拡張ベルト製品
１６  第１のベルト端区画、ベルト半分、第１のベルト半分
１７  第２の横断方向ベルト端区画、ベルト半分、第２のベルト端区画、第２のベルト半分
１８  第１の端部分、背面端部品
１９  中間ベルト区画、外縁
２０  第１のカバーリング層、カバーリング層
２１  第１の表面
２２  第２の表面
２３  自由端
３０  第２のカバーリング層、第２の液体不透過性カバーリング層、カバーリング層
４０  吸収本体
４５  脚部ゴム
４６  ウエスト部ゴム
４８  留めデバイス、固定部材、第１の固定部材
４９  留めデバイス、第２の固定部材、固定部材
５１  第１の機械的コネクタ構造、第１のコネクタ構造
５１ａ  第１の機械的コネクタ構造
５２  第２の機械的コネクタ構造、第２のコネクタ構造
５２ａ  第２の機械的コネクタ構造
Ｘ  長手方向
Ｘ’  長手方向
Ｙ  横断方向
Ｙ’  横断方向
ｘ  方向
ｙ  方向
【図１ａ】
2018527114.tif 000003
【図１ｂ】
2018527114.tif 000004
【図２ａ】
2018527114.tif 000005
【図２ｂ】
2018527114.tif 000006
【図３ａ】
2018527114.tif 000007
【図３ｂ】
2018527114.tif 000008
【図４ａ】
2018527114.tif 000009
【図４ｂ】
2018527114.tif 000010
【図５ａ】
2018527114.tif 000011
【図５ｂ】
2018527114.tif 000012
【図５ｃ】
2018527114.tif 000013
【図５ｄ】
2018527114.tif 000014
【図６ａ】
2018527114.tif 000015
【図６ｂ】
2018527114.tif 000016
【図６ｃ】
2018527114.tif 000017
【図７ａ】
2018527114.tif 000018
【図７ｂ】
2018527114.tif 000019
【図７ｃ】
2018527114.tif 000020
【図８】
2018527114.tif 000021
【図９ａ】
2018527114.tif 000022
【図９ｂ】
2018527114.tif 000023
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
シャーシとウエストベルトとを備え、前記シャーシが、第１の端部分と、第２の端部分と、それらの間に延在する中央部分（２ａ）とを有し、使用に際して使用者に面することが意図された第１の表面（２１）と前記使用者から逸れた方を向くことが意図された第２の表面（２２）とを有する第１のカバーリング層（２０）を含み、前記ウエストベルトが、前記ウエストベルト（１５）の第１のベルト端区画および第２のベルト端区画が前記物品の着用者のまわりで互いに固着するために前記シャーシの前記第１の端部分の両側に延在するように前記シャーシに取り付けられ、前記シャーシの前記第２の端部分が、前記シャーシの前記第２の端部分を前記ベルトに固着するための留めデバイス（４８、４９）を含む使い捨て吸収性物品（８、１０）であって、前記ウエストベルト（１５）が、使用中に前記着用者に面する内表面と使用中に前記着用者から逸れた方を向く外表面とを有し、前記第１のベルト端区画（１６）が留め構成要素を備え、前記第２のベルト端区画（１７）が嵌合用留め構成要素を備え、前記留め構成要素（１１ａ）および前記嵌合用留め構成要素（１３ａ）の各１つが第１の機械的コネクタ構造（５１）と第２の機械的コネクタ構造（５２）とを備え、各機械的コネクタ構造が、前記他の機械的コネクタ構造との機械的相互接続を形成することが可能であり、同一の構造との機械的相互接続を形成することが不可能であり、前記留め構成要素および前記嵌合用留め構成要素が、前記第１の横断方向ベルト端区画と前記第２の横断方向ベルト端区画との相互接続を形成し、使い捨て吸収性物品（８、１０）の着用者のまわりで互いに固着するように、前記第１の機械的コネクタ構造（５１）および前記第２の機械的コネクタ構造（５２）を介して機械的に接続可能であることを特徴とする、使い捨て吸収性物品（８、１０）。
【請求項２】
シャーシとウエストベルトとを備え、前記シャーシが、第１の端部分と、第２の端部分と、それらの間に延在する中央部分（２ａ）とを有し、使用に際して使用者に面することが意図された第１の表面（２１）と前記使用者から逸れた方を向くことが意図された第２の表面（２２）とを有する第１のカバーリング層（２０）を含み、前記ウエストベルトが前記シャーシとは別個に設けられ、前記シャーシの前記第２の端部分が、前記シャーシの前記第２の端部分を前記ベルトに固着するための留めデバイス（４８、４９）を含む、使い捨て吸収性物品（８、１０）であって、前記ウエストベルト（１５）が、使用中に前記着用者に面する内表面と、使用中に前記着用者から逸れた方を向く外表面とを有し、前記ベルトが、留め構成要素を備える第１のベルト端区画（１６）と、嵌合用留め構成要素を備える第２のベルト端区画（１７）とを備え、前記留め構成要素（１１ａ）および前記嵌合用留め構成要素（１３ａ）の各１つが第１の機械的コネクタ構造（５１）と第２の機械的コネクタ構造（５２）とを備え、各機械的コネクタ構造が、前記他の機械的コネクタ構造との機械的相互接続を形成することが可能であり、同一の構造との機械的相互接続を形成することが不可能であり、前記留め構成要素および前記嵌合用留め構成要素が、前記第１の横断方向ベルト端区画と前記第２の横断方向ベルト端区画との相互接続を形成し、使い捨て吸収性物品（８、１０）の着用者のまわりで互いに固着するように、前記第１の機械的コネクタ構造（５１）および前記第２の機械的コネクタ構造（５２）を介して機械的に接続可能であることを特徴とする、使い捨て吸収性物品（８、１０）。
【請求項３】
前記留め構成要素が前記第１のベルト端区画の前記内表面上に配置され、前記嵌合用留め構成要素が前記第２のベルト端区画の前記外表面上に配置される、請求項１または請求項２に記載の使い捨て吸収性物品（８、１０）。
【請求項４】
前記留め構成要素の前記第１の機械的コネクタ構造（５１）および前記第２の機械的コネクタ構造（５２）が第１のパターンで配置され、前記嵌合用留め構成要素の前記第１の機械的コネクタ構造（５１ａ）および前記第２の機械的コネクタ構造（５２ａ）が第２のパターンで配置され、前記第１のパターンおよび前記第２のパターンが、留め構成要素の前記第１の機械的コネクタ構造（５１）の前記の少なくとも一部分が前記嵌合用留め構成要素の前記第２の機械的コネクタ構造（５２ａ）の少なくとも一部分を鏡写しにし、前記留め構成要素の前記第２の機械的コネクタ構造（５２）の少なくとも一部分が前記嵌合用留め構成要素の前記第１の機械的コネクタ構造（５１ａ）の少なくとも一部分を鏡写しにするように形成される、請求項１から３のいずれか一項に記載の使い捨て吸収性物品（８、１０）。
【請求項５】
前記第１のパターン全体が前記第２のパターン全体の鏡像である、請求項４に記載の使い捨て吸収性物品（８、１０）。
【請求項６】
方向ｘおよび方向ｙに見て、前記第１のベルト端区画上での前記留め構成要素の大きさおよび向きが、前記方向ｘおよび前記方向ｙに見て、前記第２のベルト端区画上での前記嵌合用留め構成要素の大きさおよび向きに対応する、請求項１から５のいずれか一項に記載の使い捨て吸収性物品（８、１０）。
【請求項７】
前記第２のベルト端区画が、前記第２のベルト端区画の前記外表面上に離間して配置された複数の嵌合用留め構成要素を備え、各嵌合用留め構成要素が、前記留め構成要素および前記複数の前記嵌合用留め構成要素のいずれか１つが、前記第１のベルト端区画と前記第２のベルト端区画との相互接続を形成し、前記使い捨て吸収性物品（８、１０）の着用者のまわりで互いに固着するように、第１の機械的コネクタ構造（５１）および第２の機械的コネクタ構造（５２）を介して機械的に接続可能であるように、前記第１の機械的コネクタ構造（５１）と前記第２の機械的コネクタ構造（５２）とを備える、請求項１から６のいずれか一項に記載の使い捨て吸収性物品（８、１０）。
【請求項８】
前記第１の機械的コネクタ構造および前記第２の機械的コネクタ構造（５１、５２）のうちの一方がフックを備え、前記第１のコネクタ構造および前記第２のコネクタ構造（５１、５２）のうちの他方がループを備える、請求項１から７のいずれか一項に記載の使い捨て吸収性物品（８、１０）。
【請求項９】
前記第１の機械的コネクタ構造および前記第２の機械的コネクタ構造（５１、５２）のうちの一方が第１のタイプのフックを備え、前記第１の機械的コネクタ構造および前記第２の機械的コネクタ構造（５１、５２）のうちの他方が第２のタイプのフックを備え、前記第１のタイプのフックが、前記第２のタイプのフックと異なるフック特性を有する、請求項１から８のいずれか一項に記載の使い捨て吸収性物品（８、１０）。
【請求項１０】
前記第１の機械的コネクタ構造（５１）が第１のコネクタ材料（５１’）によって提供され、前記第２の機械的コネクタ構造（５２）が第２のコネクタ材料（５２’）によって提供される、請求項１から９のいずれか一項に記載の使い捨て吸収性物品（８、１０）。
【請求項１１】
前記第２のコネクタ材料（５２’）が、前記第１のコネクタ材料（５１’）に、好ましくは前記第１のコネクタ材料（５１’）上に、取り付けられる、請求項１０に記載の使い捨て吸収性物品（８、１０）。
【請求項１２】
前記留め構成要素および前記嵌合用留め構成要素のうちのいずれか１つが、その上に断続的な前記第２のコネクタ材料片（５２’）が取り付けられる前記第１のコネクタ材料（５１’）を備える、請求項１０に記載の使い捨て吸収性物品（８、１０）。
【請求項１３】
前記第１のコネクタ材料（５１’）の前記第１のコネクタ構造（５１）が前記第２のコネクタ材料（５２’）内の貫通穴を介してアクセス可能であるように、前記留め構成要素および前記嵌合用留め構成要素のうちのいずれか１つが、前記貫通穴が形成された第２のコネクタ材料（５２’）がその上に取り付けられた第１のコネクタ材料（５１’）を備える、請求項１０に記載の使い捨て吸収性物品（８、１０）。
【請求項１４】
前記留め構成要素および前記嵌合用留め構成要素のうちのいずれか１つが、その上に前記第１のコネクタ材料および／または前記第２のコネクタ材料（５１’、５２’）が取り付けられるキャリア材料（５３）を備える、請求項１０から１３のいずれか一項に記載の使い捨て吸収性物品（８、１０）。
【請求項１５】
前記留め構成要素および前記嵌合用留め構成要素のうちのいずれか１つが、それから前記コネクタ構造５１、５２が延在するバッキング５５を備える単一コネクタ材料である、請求項１から１４のいずれか一項に記載の使い捨て吸収性物品（８、１０）。
【請求項１６】
前記留め構成要素および前記嵌合用留め構成要素の各１つが長さを有し、長手方向中心軸（ｘ）が前記長さに沿って画定され、前記第１のコネクタ構造および前記第２のコネクタ構造（５１、５２）によって形成された前記パターンが、前記長手方向中心軸（Ｘ）の一方の側にある前記第１の構造（５１）の少なくとも一部分が、前記長手方向中心軸（Ｘ）の前記他方の側にある前記第２の構造（５２）の一部分を鏡写しにする、好ましくは、前記長手方向中心軸（Ｘ）の一方の側にある前記第１の構造（５１）のすべての部分が、前記長手方向中心軸（Ｘ）の前記他方の側にある前記第２の構造（５２）の一部分を鏡写しにするようなものである、請求項１から１５のいずれか一項に記載の使い捨て吸収性物品（８、１０）。
【請求項１７】
横断方向中心軸（ｙ）が各留め構成要素および嵌合用留め構成要素の前記幅に沿って画定され、前記第１のコネクタ構造および前記第２のコネクタ構造（５１、５２）によって形成される前記パターンが、前記横断方向中心軸（Ｙ）の一方の側にある前記第１の構造（５１）の少なくとも一部分が、前記横断方向中心軸（Ｙ）の前記他方の側にある前記第２の構造（５２）の一部分を鏡写しにする、好ましくは、前記横断方向中心軸（Ｙ）の一方の側にある前記第１の構造（５１）のすべての部分が、前記横断方向中心軸（Ｙ）の前記他方の側にある前記第２の構造（５２）の一部分を鏡写しにするようなものである、請求項１６に記載の使い捨て吸収性物品（８、１０）。
【請求項１８】
前記長手方向中心軸（Ｘ）の一方の側および前記横断方向中心軸（Ｙ）の一方の側に置かれた前記第１の機械的コネクタ構造（５１）の前記少なくとも１つの部分が、前記長手方向中心軸（Ｘ）の前記他方の側にある前記第２の機械的コネクタ構造（５２）の一部分および前記横断方向中心軸（Ｙ）の前記他方の側にある前記第２の機械的コネクタ構造（５２）の別の部分を鏡写しにする、請求項１６または１７に記載の使い捨て吸収性物品（８、１０）。
【請求項１９】
前記第１の機械的コネクタ構造および前記第２の機械的コネクタ構造（５１、５２）の中の１つのみが前記長手方向中心軸（Ｘ）の一方の側に置かれる、請求項１８に記載の使い捨て吸収性物品（８、１０）。
【請求項２０】
前記第１のベルト端区画および前記第２のベルト端区画のいずれか１つが、伸縮性をもたせた領域を備える、請求項１から１９いずれか一項に記載の使い捨て吸収性物品（８、１０）。
【請求項２１】
前記ウエストベルトが、使い捨て吸収性物品（８、１０）のための拡張ベルト製品（１５’）である、請求項１および３から２０のいずれか一項に記載の使い捨て吸収性物品（８、１０）。
【請求項２２】
中間ベルト区画が、使い捨て吸収性物品（８、１０）とともに使用することが意図されたウエストベルトを形成するために、前記第１のベルト端区画と前記第２のベルト端区画との間に配置される、請求項１から２０のいずれか一項に記載の使い捨て吸収性物品（８、１０）。
【国際調査報告】
2018527114.tif 000024
2018527114.tif 000025
2018527114.tif 000026
2018527114.tif 000027
2018527114.tif 000028
2018527114.tif 000029